(57)【要約】  生体サンプルに関する検査結果の分析をユーザーに提供する方法である。前記生体サンプルの検査を実施するのに適しているテストキットは選択されるか作成され、そのテストキットはそのバイオマーカー、または各バイオマーカーを含み、ユーザーに提供される。その後、生体サンプルは前記生物学的マーカーに依存する検査結果を生成するためにテストキットに適用され、そのテストキットは、テストキットに生体サンプルを適用する前、間、または後のいずれかでユーザーのコンピュータデバイスに接続され、そしてそのコンピュータデバイスから、インターネットまたは別の適切なネットワークを介して、遠方のセキュアなサーバサイトに検査結果が送信される。セキュアなサーバサイトにおいて、データの分析を生成するために検査結果が処理され、そしてその分析は、サーバサイトから、ユーザーのコンピュータデバイス、または別のデバイスへ、インターネットまたは別の適切なネットワークを介して送信される。【選択図】図１
2018530069.tif 000002
【特許請求の範囲】
【請求項１】
生体サンプルに関する検査結果の分析をユーザーに提供する方法であって、該方法は：
前記生体サンプルの検査を実施するのに適しているテストキットを選択する工程、または作成する工程であって、該テストキットは、ユーザーに対する１つ以上の関心領域のための１つ以上のバイオマーカーを含み、ユーザーにテストキットを提供する、工程と；
前記生物学的マーカー（複数可）に依存する検査結果を生成するために、生体サンプルをテストキットに適用する工程と；
生体サンプルをテストキットに適用する前、間、または後のいずれかにおいて、ユーザーのコンピュータデバイスにテストキットを連結し、そのコンピュータデバイスから、インターネットまたは別の適切なネットワークを介して、遠方のセキュアなサーバサイトに検査結果を送信する工程と；
セキュアなサーバサイトにおいて、データの分析を生成するために検査結果を処理する工程と；
サーバサイトから、ユーザーのコンピュータデバイス、または別のデバイスへ、インターネットまたは別の適切なネットワークを介して、その分析を送信する工程と；
を含むことを特徴とする、方法。
【請求項２】
前記１つ以上の関心領域の各々は、ライフスタイル領域、製品かサービス、もしくは複数の製品かサービス、製品の成分、または製品かサービスのカテゴリーのうちの１つである、請求項１に記載の方法。
【請求項３】
ユーザーから、もしくはそのユーザーによって局所的に抽出されたサンプルから、または遠隔的に抽出されたサンプルを貯蔵している容器から、生体サンプルを得る工程を含む、請求項１または２に記載の方法。
【請求項４】
前記テストキットは、アドレス指定可能な検査部位の多彩性を有するテストモジュールを含み、そのテストモジュールの各々が、検査部位に位置することもあるバイオマーカーのための検査を独立して実行可能であり、その同定された前記バイオマーカーまたは、各同定された前記バイオマーカーは、検査部位において提供される、請求項１から３のいずれ１つに記載の方法。
【請求項５】
該方法は、前記検査結果と共に同定されたバイオマーカー（複数可）が提供される検査部位のアドレスを送信する工程を含み、セキュアなサーバサイトにおいて、関連する検査部位のアドレスを使用してバイオマーカーを同定する工程を含む、請求項４に記載の方法。
【請求項６】
該方法は、バイオマーカーが送信されたデータ単独では同定不可能であるような方法である、請求項５に記載の方法。
【請求項７】
前記分析は、１つ以上の生物学的フィルタコードを含む、請求項１から６のいずれか１つに記載の方法。
【請求項８】
前記生物学的フィルタコードは、それぞれの製品、サービス、または製品もしくはサービスのカテゴリーにマッピングされるが、ユーザーの生体情報を明確には特定しない、請求項７に記載の方法。
【請求項９】
該方法は、ブラウザプラグインを前記コンピュータデバイスのウェブブラウザにインストールする工程を含み、そのブラウザプラグインは、前記分析に基づいて、ブラウザウインドウに表示される製品情報および／またはサービス情報をブラウザがフィルタリングすることを容易にする、請求項１から８のいずれか１つに記載の方法。
【請求項１０】
該方法は、製品情報および／もしくはサービス情報か、またはアプリケーションによるアドバイスの提供のフィルタリングを容易にするために、分析の全て、および一部を、コンピュータデバイスにインストールされるアプリケーションに対して利用可能にする工程を含む、請求項１から９のいずれか１つに記載の方法。
【請求項１１】
該アプリケーションは、コンピュータデバイスによって、製品またはサービスのラベルから読み取られる製品情報および／またはサービス情報を取得するように構成されてもよい、請求項１０に記載の方法。
【請求項１２】
前記分析は、１つの製品もしくはサービス、または様々な製品もしくはサービスの識別情報を含む、請求項１から１１のいずれか１つに記載の方法。
【請求項１３】
バイオマーカー（複数可）を同定するデータは、ユーザーデバイスまたは他のデバイスに提供されない、または記憶されない、請求項１から１２のいずれか１つに記載の方法。
【請求項１４】
遠方のセキュアなサーバサイトにユーザーの公開鍵を提供する一方で、ユーザーデバイスまたは他のデバイスにユーザーの１対の公開鍵−秘密鍵を提供する工程を含み、該方法は、ユーザーの公開鍵を用いて遠方のセキュアなサーバサイトにおいて前記分析を暗号化する工程と、ユーザーデバイスまたは他のデバイスで前記分析を受信した上でユーザーの秘密鍵を使用して解読する工程を含む、請求項１から１３のいずれか１つに記載の方法。
【請求項１５】
そのバイオマーカーまたは、各バイオマーカーは、ＤＮＡ合成に使用するのに適しているプライマーである、請求項１から１４のいずれか１つに記載の方法。
【請求項１６】
前記テストキットは、イオン感応電界効果トランジスタのアレイを含む、請求項１から１５のいずれか１つに記載の方法。
【請求項１７】
前記生体サンプルの検査を実施するのに適したテストキットを選択する、または作成する工程の前に：
ユーザーコンピュータからウェブポータルを介してユーザーに対する１つ以上の関心領域の識別情報を受信する工程と；
遠方のセキュアなサーバサイトにおいて、その関心領域または各関心領域に関連する１つ以上のバイオマーカーを同定する工程と；
を含む、請求項１から１６いずれか１つに記載の方法。
【請求項１８】
ユーザーに製品のアドバイスを提供する方法であって、該方法は：
コンピュータデバイスを使用して、製品ラベル上のデータを読み取る工程と；
デバイスに記憶された生物学データを使用してデータを解釈する工程であって、その生物学データはユーザーに関係し、かつユーザーから得られる生体サンプルの分析を用いて予め得られる、工程と；
その解釈に基づいて、製品に関するアドバイスをデバイスのディスプレイに提示する工程であって、そのアドバイスは個人に適合されている、工程と；
を含むことを特徴とする、方法。
【請求項１９】
生体サンプルはユーザーのマイクロバイオームに由来する、請求項１から１８のいずれか１つに記載の方法。
【請求項２０】
コンピュータデバイスはウェアラブルデバイスである、請求項１から１９のいずれか１つに記載の方法。
【請求項２１】
ウェアラブルデバイスはスマートフォンである、請求項１９に記載の方法。
【請求項２２】
ウェアラブルデバイスであって、該ウェアラブルデバイスは：
製品コードのデータベースおよび、個別化された生体情報に由来する関連する製品の推薦を記憶するメモリと；
製品から製品コードを読み取るための製品コード読み取り機と；
関連する製品に関する製品の推薦を得るようにデータベース内の検索を行うように、読み取られた製品コードを使用するためのプロセッサと；
得られた製品の推薦の指標を、デバイスの着用者に提供するためのインジケータと；
を含むことを特徴とする、ウェアラブルデバイス。
【請求項２３】
ウェアラブルデバイスはスマートフォンである、請求項２１に記載のウェアラブルデバイス。
【請求項２４】
テストキットをウェアラブルデバイスに接続するためのインターフェースを含む、請求項２２または請求項２３に記載のウェアラブルデバイス。
【請求項２５】
遠方のセキュアなサーバーに検査結果を送信するための送信機と；
遠方のセキュアなサーバーから検査結果の分析を受信するための受信器と；
をさらに含む、請求項２２から２４のいずれか１つに記載のウェアラブルデバイス。
【請求項２６】
着用者の遺伝子情報をモニタリングするための１つ以上の生理学的センサおよび／もしくは生体認証センサ、ならびに／またはバイオセンサと、検知データを使用して動的にデータベース内の製品の推薦を更新するためのプロセッサと、を含む請求項２２から２５のいずれか１つに記載のウェアラブルデバイス。
【請求項２７】
製品またはサービスのオンライン購入を行う方法であって、該方法は、ユーザーコンピュータデバイスにおいて：
１つ以上の生物学的フィルタコードを記憶する工程であって、その生物学的フィルタコードは、それぞれの製品、サービス、または製品もしくはサービスのカテゴリーにマッピングされるが、ユーザーの生体情報を明確に特定しない、工程と；
ウェブポータルから、入手可能な製品またはサービスデータを検索するために、ユーザーコンピュータデバイスにインストールされたウェブブラウザまたはアプリケーションを使用する工程と；
ユーザーの遺伝子型またはマイクロバイオームに適する入手可能な製品またはサービスを特定するためにフィルタコードを使用する工程と；
ディスプレイ、またはユーザーのコンピュータデバイスの他のユーザーインターフェースを介して、ユーザーに対する適切な製品またはサービスを特定する工程と；
を含むことを特徴とする、方法。
【発明の詳細な説明】
【技術分野】
【０００１】
本発明は、遺伝子情報および／もしくはマイクロバイオーム情報などの消費者の生体情報、ならびに／または生体情報に関するさらなる情報を、コンピュータシステムとデバイスとの間で安全に転送するための方法、装置、およびシステムに関する。そのような情報は、好みの製品またはサービスを購入する目的で用いられてもよい。本発明は、製品の推薦を提供するための方法と装置にも関する。そのような装置の一例は、製品の推薦を提供するためのウェアラブルデバイスであってもよい。
【背景技術】
【０００２】
配列決定と医療技術の進歩、および科学の躍進は、遺伝子、およびマイクロバイオームのデータ分析および解釈の分野を革新し、費用対効果が高く、一般大衆が利用可能なサービスを作り出してきた。毎日新しい遺伝形質が特定されており、これによって、健康や幸福に影響を与えるバイオマーカーの継続的に拡大するカタログ、ならびに、遺伝変異表現型の場合には、ヒト、動物、微生物、菌類および植物を含む生命体のカタログが生成されている。
【０００３】
分子および細胞の濃度で個体差を同定することは、化粧品および栄養補助食品から、フィットネスを高めるサービス、体重減少レジメン等にまで及ぶパーソナルケア製品を好みに合わせることによって、ライフスタイルの向上および管理と同様に、薬物用量および治療選択のためなどの薬剤におけるより深い層の個別化を可能にしてきた。拡大している消費者の遺伝子学市場またはヘルスケア市場の要望に答えるために、多数の民間企業およびクリニックが創設されてきた。それにもかかわらず、利用されている技術が制限されることによって、研究所ベースのサービスに対するそのようなアプローチの商業化が限定されており、それによって配送速度、ビジネスモデル、およびプライバシーが損なわれている。それらが効果を発揮するサンプルによっては、このことが、ユーザー／顧客／被験者にプライバシーおよび利便性において妥協するようにもとめることもある。
【０００４】
現在、特定の目的／心配事のための、または一般的興味のための、遺伝子学的状態または健康状態に関する情報へのアクセスを得たい個人は、私立診療所または専門機関を経て、（直接か、または郵送かのいずれかで）中央研究所にサンプルを提供する必要がある。そのようなプロセスは、手間がかかって不便であり、かつ個人のプライバシーを侵害することもある。例えば、多くの検査は血液分析に基づくが、これは、専門家とのサンプル採取の打ち合わせに出席することを個人に要求する。最も便利で利用可能なアプローチでは、だ液サンプルを採取するためキットを注文し、その後研究所にキットを郵送する必要がある。個人は、特定の時間にわたって飲食を避けなければならず、サンプル採取のプロセスを処理する責任を負う。
【０００５】
個別化された医療検査に関する従来のプロセスは以下のとおりである：
１）サービス提供業者からオンラインでサンプル採取キットを注文する；
２）キットを受け取り、生体サンプル（通常だ液）を採取する。この段階で、顧客は、検査結果と共に分析されるアンケートに記入するように頼まれることもある；
３）郵便でサンプルをサービス提供業者に送る；その後、サンプルは熟練の研究所のスタッフによって、例えば、様々な遺伝子分析アッセイを用いて処理される；そして
４）４−８週間後、顧客には、例えばＤＮＡ中の様々な変種を表記している一般的な分析報告書が、電子的に送られるか、または郵送で送られる。
場合によっては、サービス提供業者は製品の推薦を行なうか、またはクライアントの検査結果に従って設計されたか、選択された特注の製品を提案してもよい。
【０００６】
これらの従来のアプローチは、生体サンプルを処理および分析するために、通常は郵便でいくつかの遠隔地へとそのサンプルを送ることを顧客に要求する。このことが以下に関する機密保持の懸念をもたらす：
１）誰が生体サンプルを分析するのか、ならびに、その分析が、どのように及びどこで行われるのか；
２）遺伝子情報または健康情報が、どのように及びどこに保管されるか、または安全に廃棄されるか；
３）遺伝子プロファイルまたは健康プロファイルにリンクされた顧客の個人情報はどうするのか；
５）顧客の健康情報に誰がアクセスできるか（特にその情報が遺伝子情報と同じくらい個人的な物であるとき）；
６）多くの場合において、分析報告書の公表前に、顧客は、病歴、ライフスタイル習慣等に関するアンケートを埋めるように頼まれるが、そのような情報の共有によって別のレベルの懸念が増すこととなる。
【０００７】
この点においては、機密保持の懸念は、遺伝子検査結果、すなわち顧客が持つ遺伝子学的な変異体だけに限らず、例えば、性交不能症、脱毛症、薬物依存、アルコール依存症等への素因の遺伝子検査を検討する動機を顧客に与えた、個人的な懸念にも関連することが強調されるべきである。もしこの情報を医療保険会社や潜在的雇い主等が入手可能になった場合、個人が「遺伝子学的に汚名を着せられたり」、「分類されたり」する可能性があるだろう。それは、個人の生活において莫大な影響となりうる。
【０００８】
現在利用可能な遺伝医療の大部分は、広範なゲノム配列決定することであり；例えば、１００，０００を超えるバイオマーカーにタグ付けされた、予め定められたプラットフォームを用いて、全ての遺伝子バイオマーカーに対して全てのクライアントのサンプルを無関係に配列決定している。これは、高い割合の顧客が、デフォルトでは、彼らが知りたくない可能性のある遺伝形質も検査されているということ；例えば、デトックスの素因を測定するために検査を購入する個人が、アルツハイマー病やパーキンソン病などの深刻な神経変性疾患も検査されること、を意味する。顧客が当初抱いていなかった懸念に関する情報へのアクセスは、個人の社会的／心理的均衡に対して有害な効果を有することもある。
【０００９】
一方では、そのようなサービスおよび検査の大部分は、個人自身に焦点を置くが、実際は、私たちが生命に影響を与える唯一の生き物であるということはない。私たちは、良くも悪くも何十万ものバクテリアと共に生活している。効果的な個別化された解決策を提供するために、私たちはこれらのバクテリアを考慮する必要がある。ｕＢｉｏｍｅ（ｈｔｔｐ：／／ｕｂｉｏｍｅ．ｃｏｍ／）のような会社は、腸のマイクロバイオームを分析する消費者直結型サービスを提供し始めた。しかし、同様に、それらの会社は、顧客に次のようなプロセスを受けることを求める：
１  −  キットをオンラインで注文する；
２  −  自身の糞便を採取する；
３  −  研究所へサンプルを郵送する；
４  −  数週間待つ。
【００１０】
長い納期に加えて、ある一定の人々は、要求されたそのタイプのサンプルを提供することが不快なので、このプロセスを回避することもある。したがって、このプロセスは完全に適応するモデルではない。
【００１１】
今日利用可能なサービスの多くのさらなる欠点は、提供される情報の多くが、極めて解釈不可能なままであり、それゆえ、日常生活に対する重要性または妥当性がない情報であることである。いくつかのサービスが個別化されたサービスまたは製品を顧客に提示する一方、これらは、顧客の好みおよび選択の自由を損なうこともあり、宗教的信仰、政治的信仰および文化的信仰と同様にライフスタイルの好みを含む個人の人柄および特質を考慮しない。例えば、遺伝子学的に鉄分を吸収しない人で、かつその人がベジタリアンか、または単に赤身の肉が嫌いな場合であっても、赤身の肉を多く摂取する食事計画が推薦されることもある。別の例は、顧客の遺伝形質に基づいて、適合したパーソナルケア製品を提供するサービスであることもあり、これは動物で検査されてきた。そのような製品は、個人の遺伝子プロファイルに対して特別に設計されたとしても、動物福祉に関する見解に抵触することもある。
【００１２】
最終的に、時間が非常に重要な選択基準である目まぐるしい世の中では、結果を提供するスピードが重要であることが理解されよう。現在、研究所へ処理される生体サンプルを遠隔的に送らなければならないという事実は、顧客が、数週間どころか数か月、その結果のために待たなければならない可能性があることを意味する。遺伝子検査の注文から、結果／推薦された製品の受け取りまでの時間の間隔がより長いほど、関連する製品を顧客が購入しなくなる可能性が高くなる。
【００１３】
上記を考慮すると、生体サンプルを送ることを要求し、それが遠隔的に処理されるサービスは、多くの場合、消費者および／またはビジネスの観点からあまり魅力的ではないことが明らかである。さらに現在一般的には、結果は、解決策に基づいているというよりはむしろ、問題に基づいている。このことから、検査を提供するサービスに対する以下の要望が浮き彫りとなる：ａ）消費者によって自身の私的な環境で実施可能であること、ｂ）顧客の特定の懸念のために、標的とされる個人の（例えば、遺伝子の、およびマイクロバイオームの）形質に基づいているということ、ｃ）すぐに使用可能な結果が提供されるということ、およびｄ）迅速、確実、安全に配達されるということ。
【００１４】
息には約３，０００の化合物が含まれる。最近の発見により、身体内の細胞活動を理解するための呼気分析の可能性が示されてきた。それは非侵襲性であり、実施に非常に対応している検査である。
【００１５】
息中の化合物は、細胞活動による排気および排泄物由来である。それらは血液へと流れ、肺から吐き出される。各血液循環は約１分を要する。したがって、サンプルを採取する場合、息を分析することにより、１分の間、またはより長い時間にわたり全身の分析を間接的に支援することができる。このことが、呼気分析を、身体状態を評価するための魅力的な方法にした。この方法は、以下の多くの医療および非医療の応用のために用いられてきた：
−  血液中のアルコール濃度
−  癌の早期発見
−  感染症
−  喘息の層別化
−  腸管前処置
−  過敏性腸症候群
−  ラクトース消化不良症および不耐性
−  マイクロバイオーム、例えば、ヘリコバクターピロリ菌（Ｈｅｌｉｃｏｂａｃｔｅｒ  ｐｙｌｏｒｉ）の分析
−  カイロミクロンレムナントの代謝
−  など。
【００１６】
これらの検査の各々に対して、特定のバイオマーカーが分析される。例えば、様々な濃度の特定の揮発性有機化合物が、肺癌、大腸癌、乳癌、前立腺癌等のような様々な癌の発達の初期段階を示すこともある。それらは、腫瘍細胞の様々な作用のために増加する。または、その検査はラクトース消化不良症および不耐性を分析するために、ＣＨ４およびＨ２に関して実施されることもある。
【００１７】
様々な複雑さおよび正確さを持つ、研究所における質量分析法からアルコールを検査するための携帯型のアルコール検知器までのそのような検査を可能にするために、開発された様々な技術が存在する。例えば、Ｏｗｌｓｔｏｎｅ  Ｍｅｄｉｃａｌによって開発されたＦｉｅｌｄ  Ａｓｙｍｍｅｔｒｉｃ  Ｉｏｎ  Ｍｏｂｉｌｉｔｙ  Ｓｐｅｃｔｒｏｍｅｔｒｙ（ＦＡＩＭＳ）は、息の化合物の高精度な分離および測定を可能にする小型半導体センサである。Ｏｗｌｓｔｏｎｅ  Ｍｅｄｉｃａｌは、呼気分析および呼気サンプル採取に関するポータブルデバイスを有する。そのようなプラットフォームは、場合によってはモバイルデバイス内のセンサの統合を可能にすることもある。
【発明の概要】
【課題を解決するための手段】
【００１８】
生体サンプルの分析が、例えば、製品および活動に関する利益およびリスクを測定するために使用されうることが知られている一方、家庭用の検査と製品およびサービスの推薦を統合しつつ、同時に生体情報のセキュリティを確かなものにする商用サービスは現在存在しない。ここに提案されているものは、インターネットを介して、家庭用検査をバックエンドの結果分析サービスと統合するサービスであり、製品およびサービスの推薦をユーザーに対して提供することを結果としてもたらす。そのサービスは、バックエンドの提供業者以外に、遺伝子情報またはマイクロバイオーム情報などの生体情報を開示せず、むしろ生物学的フィルタコードを利用する。そのようなフィルタコードは遺伝子情報またはマイクロバイオーム情報を開示することなく、セキュアな製品マッピング（ｓｅｃｕｒｅ  ｐｒｏｄｕｃｔ  ｍａｐｐｉｎｇ）をするために使用されうる。
【００１９】
本発明の第１の態様に従って、ユーザーに生体サンプルの検査結果の分析を提供する方法が提供される。前記生体サンプルの検査を実施するのに適しているテストキットが選択されるか提供され、そのテストキットは、ユーザーに対する１つ以上の関心領域のための１つ以上のバイオマーカーを含む。そのテストキットはユーザーに提供される。その後、生体サンプルは前記生物学的マーカーに依存する検査結果を生成するためにテストキットに適用され、そのテストキットは、テストキットに生体サンプルを適用する前、間、または後のうちのいずれかでユーザーのコンピュータデバイスに接続され、そしてそのコンピュータデバイスから、インターネットまたは別の適切なネットワークを介して、前記遠方のセキュアなサーバサイトに検査結果が送信される。セキュアなサーバサイトでは、検査結果がデータの分析を生成するために処理され、その分析は、サーバサイトから、ユーザーのコンピュータデバイス、または別のデバイスへ、インターネットまたは別の適切なネットワークを介して送信される。
【００２０】
生体サンプルはユーザーのマイクロバイオームに由来してもよい。
【００２１】
テストキットは、人が息を吹き込むことができるユニットから成ってもよい。そのユニットは、揮発性有機化合物の濃度を特定する、および測定することを可能にする感知デバイスに接続される。その測定からの結果は信号の様式であってもよい。そのようなユニットの一例は、Ｏｗｌｓｔｏｎｅ  Ｍｅｄｉｃａｌによって開発された呼吸マスクおよびガスセンサであってもよい。呼吸マスク（ＲｅＣＩＶＡ）は、息サンプルの採取を可能にし、ＦＡＩＭＳセンサは、息中の化合物の濃度を測定することを可能にする。
【００２２】
コンピュータデバイスは、ラップトップ、ｐｃ、またはスマートフォンなどの任意の適切なデバイスであってもよい。コンピュータデバイスはウェアラブルデバイスであってもよい。
【００２３】
関心領域は、ライフスタイル領域、製品かサービス、もしくは複数の製品かサービス、製品の成分、または製品もしくはサービスのカテゴリーのうち１つであってもよい。
【００２４】
その方法は、ユーザーから、もしくはそのユーザーによって局所的に抽出されたサンプルから、または遠隔的に抽出されたサンプルを貯蔵している容器から生体サンプルを得る工程を含むこともある。そのテストキットは、アドレス指定可能な検査部位の多彩性を持つテストモジュールを含んでもよく、その各々が、検査部位に位置することもあるバイオマーカーに対する検査を独立して実行可能であり、その同定された前記バイオマーカー、または各同定された前記バイオマーカーは、検査部位において提供される。その方法は、前記検査結果と共に同定されたバイオマーカー（複数可）が提供される検査部位のアドレスを送信する工程をさらに含み、その方法は、セキュアなサーバサイトにおいて、関連する検査部位のアドレスを使用してバイオマーカーを同定する工程を含む。その方法では、バイオマーカーは送信されたデータ単独では同定不可能である。
【００２５】
その分析は、１つ以上の生物学的フィルタコード／パターンを含んでもよい。これらのコード／パターンは、例えば、個人の遺伝子の性質またはマイクロバイオームの性質に起因する個人の特性を規定することもあるが、その遺伝子の性質、またはマイクロバイオームの性質自体の特定はしない。
【００２６】
その方法は、前記コンピュータデバイスのウェブブラウザにプラグインされるブラウザをインストールする工程を含んでもよく、そのブラウザのプラグインは、前記分析に基づいて、ブラウザウインドウに表示される製品情報および／またはサービス情報をブラウザがフィルタリングすることを容易にする。
【００２７】
その方法は、製品情報および／もしくはサービス情報か、またはアプリケーションによるアドバイスの提供のフィルタリングを容易にするために、分析の全て、および一部を、コンピュータデバイスにインストールされるアプリケーションに対して利用可能にする工程を含むこともある。そのアプリケーションは、コンピュータデバイスによって、製品またはサービスのラベルから読み取られる製品情報および／またはサービス情報を得るように構成されてもよい。
【００２８】
その分析は、１つの製品もしくはサービス、または様々な製品もしくはサービスの識別情報を含んでもよい。その分析は、また製品またはサービスのオンライン購入を容易にするウェブリンクを含んでもよい。
【００２９】
その関心領域または各関心領域に関連する１つ以上のバイオマーカーを同定するステップは、バイオマーカーに関心領域をマッピングする、前記遠方のセキュアなサーバサイトのデータベース、またはそれに接続されたデータベース内の検索（ｌｏｏｋｕｐ）を実施することを含む。
【００３０】
バイオマーカー（複数可）を同定するデータは、ユーザーデバイスまたは他のデバイスに提供されない、または記憶されなくてもよい。
【００３１】
その方法は、遠方のセキュアなサーバサイトにユーザーの公開鍵を提供する一方で、ユーザーデバイスまたは他のデバイスにユーザーの１対の公開鍵−秘密鍵を提供する工程を含んでもよく、その方法は、ユーザーの公開鍵を用いて遠方のセキュアなサーバサイトにおいて前記（コード化された）分析を暗号化する工程と、ユーザーの秘密鍵を使用してユーザーデバイスまたは他のデバイスで受信した上で、その分析を解読する工程とを含む。
【００３２】
そのバイオマーカーまたは各バイオマーカーは、ＤＮＡ合成に使用するのに適切なプライマーであってもよい。
【００３３】
そのバイオマーカーまたは、各バイオマーカーは、息中の揮発性有機化合物の濃度であってもよい。
【００３４】
テストキットは、必要な回路および処理モジュールを備える、息吹込みユニットおよびガスセンサユニットを含んでもよい。
【００３５】
テストキットは、イオン感応電界効果トランジスタ、光センサ、ナノポア（ｎａｎｏｐｏｒｅｓ）、ナノワイヤー（ｎａｎｏｗｉｒｅｓ）、およびマイクロアレイの他の任意の形態のアレイを含んでもよい。
【００３６】
その方法はまた、ユーザーコンピュータからウェブポータルを介してユーザーに対する１つ以上の関心領域の識別情報を受信する工程と、遠方のセキュアなサーバサイトにおいて、その関心領域または各関心領域に関連する１つ以上のバイオマーカーを同定する工程と、を含んでもよい。
【００３７】
本発明の第２の態様に従って、個人に製品のアドバイスを提供する方法が提供され、ここでその方法は、コンピュータデバイスを使用して製品ラベルのデータを読み取る工程と、デバイス上に記憶されているコード化された生物学データを使用してデータを解釈する工程と、を含み、その生物学データは、その個人に関係し、クライアントから得られる生体サンプル（例えば息）を分析することで以前に得られており、その解釈に基づいて、製品（個人を合わせているアドバイス）に関係のあるアドバイスをデバイスのディスプレイ上で提示し、ここで、そのアドバイスは個人に適合されている。前記アドバイスは、その個人に対する製品の適合性に関係し、生体サンプルのさらなる分析を推奨することもあり、そのさらなる分析はその製品に関連する。
【００３８】
前記データは、ＱＲコード（登録商標）またはバーコードなどの、製品ラベルのコンピュータ読み取り可能なコード内に含まれてもよい。
【００３９】
本発明の第３の態様に従って、個別化された生体（例えば、遺伝子またはマイクロバイオームの）情報に由来する製品コードおよび関連する製品の推薦のデータベースを記憶するメモリと、製品から製品コードを読み取るための製品コード読み取り機と、関連する製品のための製品の推薦を得るようにデータベース内の検索を行うために読み取られた製品コードを使用するためのプロセッサと、を含むウェアラブルデバイスが提供される。そのデバイスはさらに、得られた製品の推薦の指標を、デバイスの着用者に提供するためのインジケータを含む。
【００４０】
そのデバイスは、リストバンド、またはリストバンドに取り付け可能なモジュールとして構成されてもよいが、それはキーフォブ、指輪、またはネックレスなどの他の形態をとることもある。
【００４１】
製品コードはバーコードであってもよく、その場合は、製品コード読み取り機はバーコード読み取り機である。バーコード読み取り機は、カメラなどの写真撮像デバイスを含んでもよい。バーコード読み取り機は、デバイスの生理学的センサと共有される光学部品を使用してもよい。そのデバイスは、バーコードと写真撮像デバイスの位置合わせを補助するために、製品上へとターゲットライトを投影する光学プロジェクターをさらに含む。
【００４２】
例として、インジケータは、表示画面、着色光、振動モータ、および音波発生装置の１つ以上を含んでもよい。
【００４３】
そのデバイスは、着用者をモニタリングするための１つ以上の生理学的センサおよび／もしくは生体認証センサ、ならびに／またはバイオセンサと、検知データを使用して、データベース内の製品の推薦を動的に更新するためのプロセッサと、を含んでもよい。
【００４４】
そのプロセッサは、製品の推薦を動的に更新するスイッチを入れるか切るために、ユーザー入力を受信するように構成されてもよい。
【００４５】
そのデバイスは、それぞれのデータベース内の情報を交換するためにピアウェアラブルデバイス（ｐｅｅｒ  ｗｅａｒａｂｌｅ  ｄｅｖｉｃｅ）と通信するための無線送受信機と、受信データおよび既存データの組み合わせを使用して製品の推薦を再計算するためのプロセッサと、を含んでもよい。そのデバイスはさらに、それらのデバイスが互いに近接するとき、ピアデバイスとデータの交換を始めるための近接検出器を含んでもよい。
【００４６】
そのデータベースは、製品コード、および複数の個人の各々に対する個別化されたマイクロバイオーム情報に由来した関連する製品の推薦を含んでもよく、さらに、個人のうち１人のユーザー選択を受信するためのインターフェースを含んでもよい。
【００４７】
そのデータベースは、推薦が遺伝的な個別化された生体（例えば、遺伝子またはマイクロバイオーム）情報によって左右される、製品を特定するためのマーカーを含んでもよく、そのデバイスは、前記マーカーに基づいた製品をフィルタリングするために、ユーザー入力を受信するための手段を含んでもよい。
【００４８】
そのデバイスは、ユーザーから製品購入の通知を受信するためのユーザーインターフェースと、データベース内の指標を記憶するための手段と、を含んでも良い。そのユーザーインターフェースは、製品がデータベースから取り除かれるべきであるという通知をユーザーから受信するように構成されてもよい。
【００４９】
そのデバイスは、例えば、音声認識、生体データ、生理学的データ等を使用して、自動的に着用者を特定するためのプロセッサを含んでもよい。
【００５０】
個別化された生体情報は、個別化された遺伝子学的および後成的な情報を含んでもよい。
【００５１】
デバイスは低電力のスリープモードおよび比較的高出力のアクティブモードで作動するように構成されてもよく、そのデバイスは、一般的な製品コードを認識し、アクティブモードに切り換えるために、スリープモードで動作可能であってもよい。
【００５２】
そのデバイスは、デバイスの位置を検出するための地理的位置システムを含んでもよく、プロセッサは、検出位置に基づいてデータベースのアクセス可能な、またはアクセス不能な関係する部分を作るように構成されてもよい。
【００５３】
本発明の第４の態様に従って、本発明の上記の第３の態様に従うウェアラブルデバイスと、前記データベースを追加するおよび／または更新するためにウェアラブルデバイスと無線で通信するためのコンピュータデバイスと、を含むシステムが提供される。そのコンピュータデバイスは、スマートフォンであってもよい。
【００５４】
コンピュータデバイスは、前記個別化された遺伝子情報を記憶するメモリを含むこともあり、ウェアラブルデバイスを管理するためのアプリケーションが搭載されることもある。そのデータベースを追加する、または更新するためのデータは、クラウドネットワークから、コンピュータデバイスによって検索されてもよい。
【００５５】
本発明の第５の態様に従って、製品またはサービスのオンライン購入を実施する方法が提供される。その方法は、ユーザーコンピュータデバイスにおいて、１つ以上の生物学的（例えば、遺伝子学的）フィルタコードを記憶する方法を含み、その生物学的フィルタコードは、それぞれの製品、サービス、または、製品もしくはサービスのカテゴリーにマッピングするが、ユーザーの遺伝子学的情報または生体情報を明確には明らかにしない。ユーザーコンピュータデバイスにインストールされたウェブブラウザまたはアプリケーションは、ウェブポータルから、利用可能な製品、またはサービスデータを検索するために使用される。フィルタコードは、ユーザーの遺伝子型またはマイクロバイオームに適する利用可能な製品またはサービスを特定するために使用される。その適する製品またはサービスは、ディスプレイまたはユーザーのコンピュータデバイスの他のユーザーインターフェースを介して、ユーザーに明らかにされる。
【００５６】
本発明の第６の態様に従って、ユーザーに生体サンプルの検査結果の分析を提供するためのシステムが提供され、そのシステムは：
ａ）コンピューティングデバイスと；
ｂ）コンピューティングデバイスが接続される通信ネットワークと；
ｃ）コンピューティングデバイスに対して遠方の、通信ネットワークを介してコンピューティングデバイスと接続されたセキュアなサーバーと；
ｄ）コンピューティングデバイスに接続されたテストキットと；
を含み、そのテストキットはさらに、コンピューティングデバイスからのユーザーに対する１つ以上の関心領域の識別情報に基づいたセキュアなサーバーによって同定された、１つ以上のバイオマーカーを含み；そこで、テストキットは、生体サンプルを受け、その生体サンプルに基づいた検査結果を生成することができ；そのセキュアなサーバーは、コンピューティングデバイスから通信ネットワークを介してそのセキュアなサーバーに送信された検査結果に基づいた分析を生成することができる。
【図面の簡単な説明】
【００５７】
【図１】顧客が遺伝子材料またはマイクロバイオームの検査を遂行することを可能にするためのサービス、ならびに結果の分析、および製品／サービスの推薦を顧客に提供するためのサービスを概略的に例示する。
【図２】図１のサービスをさらに例示するフロー図である。
【図３】ブラウザのプラグインによって提供される新しいサービスボタンを含むウェブブラウザウィンドウを概略的に例示する。
【図４】購買決定を促進するための新しいブラウザボタンの使用を例示するフロー図である。
【図５】顧客に製品／サービスの推薦を提供し、専用のアプリケーションを利用するための手順を例示する。
【図６】検査部位の配列を含むＤＮＡ鑑定モジュールを概略的に例示する。
【図７】半使い捨てのＤＮＡ鑑定キットを概略的に例示する。
【図８】個別化された遺伝子学的に関連するアドバイスを顧客に提供するための２つのアプローチを例示する。
【図９】エンドツーエンド（ｅｎｄ−ｔｏ−ｅｎｄ）の製品注文サービスを概略的に例示する。
【図１０】製品の推薦を提供するための機能を例示する。
【図１１】図１０の機能をさらに例示する。
【図１２】図１０の機能をさらに例示する。
【図１３】製品の推薦を通知するためのクラウドの使用を例示する。
【図１４】ウェアラブルデバイスの構成要素を概略的に例示する。
【図１５】製品の推薦のスキームを例示する。
【図１６】製品の推薦のスキームを例示する。
【図１７】様々な情報のタイプを利用して製品の推薦を導き出すためのスキームを示す。
【図１８】ウェアラブルデバイスの構成要素をさらに概略的に例示する。
【図１９】様々な情報のタイプを利用して製品の推薦を導き出すためのスキームをさらに示す。
【図２０】１対の個人のための製品の推薦を提供する代替的なスキームを例示する。
【図２１】１対の個人のための製品の推薦を提供する代替的なスキームを例示する。
【図２２】ユーザーデータを統合するスキームをさらに例示する。
【図２３】データを共有するように構成された２つのウェアラブルデバイスを例示する。
【図２４】多数のウェアラブルデバイスの実施形態を概略的に例示する。
【図２５】ウェアラブルデバイスの様々な構成要素を例示する。
【図２６】ウェアラブルデバイスを管理するための管理アプリケーションを有するウェアラブルデバイスおよびコンピュータデバイスを例示する。
【図２７】ウェアラブルデバイスを管理するための管理アプリケーションの機能を例示する。
【図２８】ウェアラブルデバイスを管理するための管理アプリケーションの機能を例示する。
【図２９】ウェアラブルデバイスを管理するための管理アプリケーションの機能を例示する。
【図３０】呼気検査に基づいて製品を推薦するためのシステムを例示するフロー図である。
【発明を実施するための形態】
【００５８】
半導体ナノテクノロジーおよび光学技術は、特にハードウェアの小型化を促進することにより、人々のライフスタイルに多大な貢献をもたらした。配列決定および遺伝子型判定の産業に対するその応用は、いわゆる「ラボオンチップ（ｌａｂ−ｏｎ−ｃｈｉｐ）」システムを可能にしてきた。生物学的な質問／興味深い遺伝子に応じて、より一般的には「バイオマーカー」と呼ばれるプライマー（複数可）／プローブ（複数可）は、適宜設計される。バイオマーカーは、ＤＮＡ分子などのオリゴヌクレオチドであり、特定の遺伝子（複数可）／変種（複数可）を対象としてもよい。バイオマーカーは、例えば、代替的に抗体または抗原であってもよい。そのようなシステム上で様々なタイプのバイオマーカーを適用／選択することによって、顧客は、例えば、特定のライフスタイルに関する懸念または興味によって決定づけられるように、特定の特徴のための、唾液、血液、尿、組織、便、頭髪からの、第三者によって局所的にまたは遠隔的に抽出された自身の生体サンプル、ＤＮＡ、ＲＮＡ、タンパク質などを検査することができる。
【００５９】
消費者の遺伝医療サービスにおける新しい時代を開く、サービスおよび技術が本明細書に記載され；それは、すぐに使用可能な結果とともに、スピーディーで消費者直結型の標的遺伝子検査を提供する一方で、同時に最大レベルのプライバシーおよび機密性を確かなものにしている。顧客は、遺伝子検査のタイプ（すなわちバイオマーカー）、自身の生体サンプル、遺伝子検査の結果に対する所有権および完全なアクセス、ならびに最終的には、自身の個性、好み、およびライフスタイルに最適に一致する、遺伝子学的に適切な様々な製品およびサービスから選択する自由を完全に制御することができる。以下の例が、ヒト個人の遺伝子型の分析に関する一方、サービスが、動物、植物、微生物、菌類等を含む他の生命体を包含するために拡張され得ない理由は存在しない。
【００６０】
図１は、ここで「ＴＨＥ  ＰＲＩＭＥＲ  ＳＨＯＰ（登録商標）」として引用されるウェブポータルを介して、顧客によって最初にアクセスされるサービスの概要を示す。ここでは詳しく取り上げないが、ＴＨＥ  ＰＲＩＭＥＲ  ＳＨＯＰ（登録商標）は、インターネットに接続された多数のサーバーを動作させ、ＴＨＥ  ＰＲＩＭＥＲ  ＳＨＯＰ（登録商標）によって提示されるサービスをホストする。ウェブポータルを介して、ＴＨＥ  ＰＲＩＭＥＲ  ＳＨＯＰ（登録商標）は、例えば以下のライフスタイルに関する懸念／質問に関する各プライマー／プライマーのセットを用いて、バイオマーカーのカタログ、より詳細には、プライマーを提示する；
・「私の体はどのようにカフェインを新陳代謝する？」
・「私のための最善のビタミン剤は何？」
・「私が喫煙を辞めるのに役立つ最善の処置は何？」
・「私の体は、どれくらい速く怪我から回復する？」等。
【００６１】
限定されることはないが、典型的なプライマーは、ＤＮＡ合成のための起点として役立つ、短い核酸配列の鎖であってもよい。先行技術において知られているように、そのようなプライマーは、遺伝子学的な一塩基多型（ＳＮＰ）を検出するために、とりわけ、与えられたＳＮＰに対して検査済みの個人の変異型（または対立遺伝子）を測定するために使用されうる。プライマー、またはプライマーの複数のアレイは、カートリッジ上に固定されうるだろう。
【００６２】
入手可能なプライマーは、例えば体重減少、フィットネス、栄養等の特定の応用分野に基づいてクラスター化されることもある。例えば、個別化されたワークアウトを探す顧客は、フィットネスおよび食事に影響を与える遺伝子を分析するために使用されるプライマーのリストから選ぶことができる。ＴＨＥ  ＰＲＩＭＥＲ  ＳＨＯＰ（登録商標）によって示唆されるプライマーの数は、質問の複雑さに左右される。しかしながら、検査のために選択されたプライマーの実数は顧客に左右され；一般的に、アッセイにおいてプライマーが使用されるほど、分析はさらに正確になるだろう。ＴＨＥ  ＰＲＩＭＥＲ  ＳＨＯＰ（登録商標）は、顧客にプライマーの束を提供することもあり、特にここでは、選択されたプライマーは、様々なアプリケーション内で共有される（例えば、プライマーＡは、フィットネスおよび栄養に関してアドバイスするために使用されうる）。各構成のプライマーは、オンライン、または小売店で購入されうる。
【００６３】
代替的に、顧客は、特定の製品（または製品のカテゴリー）についての懸念／質問、およびその製品（または製品のカテゴリー）が持つ自身の遺伝的背景に基づく個人に対する影響のために、ＴＨＥ  ＰＲＩＭＥＲ  ＳＨＯＰ（登録商標）のサービスを利用しようとしてもよい。この場合は、ＴＨＥ  ＰＲＩＭＥＲ  ＳＨＯＰ（登録商標）は、適合性、または検査結果に基づいた製品の特定の製品／カテゴリーの効果を評価するために、個人に１つ以上のバイオマーカーを備えたカスタマイズ可能なプラットフォームを示唆してもよい。例えば、顧客は、チョコレートバーの特定のブランドを消費することについて心配していることもあり、ＴＨＥ  ＰＲＩＭＥＲ  ＳＨＯＰ（登録商標）に、質問「私にとって「ブランドＸ」のチョコレートバーを毎日消費することは、どれくらい良いか、またはどれくらい悪いか。」を提示する。この製品の成分および栄養素含有量（以下の表１で概略が示される）に基づいて、ＴＨＥ  ＰＲＩＭＥＲ  ＳＨＯＰ（登録商標）は、例えば、食事反応（ｄｉｅｔ  ｒｅｓｐｏｎｓｅ）と、糖、ナトリウム、コレステロール、炭水化物、飽和脂肪酸の物質代謝に関する遺伝子学的な変異体およびＬＤＬが上昇する遺伝的リスクと、β−カロテンをビタミンＡに変える能力と、ラクトース不耐症に対する素因等とを評価する遺伝子バイオマーカーの選択とともに、検査プラットフォームを顧客に推薦してもよい。その結果に基づいて、ＴＨＥ  ＰＲＩＭＥＲ  ＳＨＯＰ（登録商標）は、消費者の遺伝子コードによって決定づけられるように、消費者に関する類似製品のこの製品／カテゴリーの適合性を評価することができるだろう。
【００６４】
顧客の遺伝子型を検査するのに適する１つの技術は、ＤＮＡ  Ｅｌｅｃｔｒｏｎｉｃｓ，  Ｌｏｎｄｏｎ，  ＵＫによって提供される技術である。この技術は、チャンバ／アリコートの配列を利用し、それぞれ本明細書に固定された特定のプライマーを備える。様々なプライマーは、様々な遺伝子の様々な変種を標的とする。イオン感応電界効果トランジスタ（ＩＳＦＥＴＳ）は、反応を感知する、例えば、伸長するプライマーへの塩基を追加することにより結果として生じるｐＨの変化を感知するために、チャンバ内に位置付けられる。代替的に、光学の、ナノワイヤーの、およびナノポアのプラットフォームなどの他の感知プラットフォームが使用されうる。ＤＮＡ分析に基づく他の適切な技術は、例えば、Ｅｐｉｓｔｅｍ  Ｌｔｄ，  ＱｕａｎｔｕｍＤｘ  Ｇｒｏｕｐ  Ｌｔｄ、およびＣｅｐｈｅｉｄ  ＵＫ  Ｌｔｄ、によって提供される技術と、抗原抗体反応を利用するＣａｍｂｒｉｄｇｅ  Ｎｕｔｒｉｔｉｏｎａｌ  Ｓｅｒｖｉｃｅｓ  Ｌｔｄ、またはＩｍｕｔｅｓｔ  Ｌｔｄによって提供される技術などの非ＤＮＡベースのプラットフォームとを含む。
【００６５】
ＴＨＥ  ＰＲＩＭＥＲ  ＳＨＯＰ（登録商標）は、様々なアプリケーションをカバーする様々な予め準備されたアレイを有してもよい。例えば、ＤＮＡ鑑定モジュール１は、図６において例示されるようなフィットネスの様々な態様、および栄養の様々な態様の両方のためのプライマーを有してもよい。顧客の興味に応じて、要求された部分のみが顧客にアクセス可能であってもよい（非アクセス可能部分において検査が行われることを物理的に防止するか、または結果へのアクセスを防止するかのどちらかによる）。この選択は、顧客の表された興味および／または購入に基づき、ＴＨＥ  ＰＲＩＭＥＲ  ＳＨＯＰ（登録商標）のポータルを介して遠隔的に実施される。
【００６６】
ＤＮＡ鑑定キットの「プラグアンドプレイ（ｐｌｕｇ−ａｎｄ−ｐｌａｙ）」テストモジュールは、プライマーとともにプレインストールされるか、もしくは、例えば、特定のプライマーがテストモジュールのチャンバへとプリントされるなど、顧客の特定の質問／懸念に従ってカスタマイズされて、購入されうる。特定のプライマーの同定、およびモジュール上へと載せられたそれらの位置は、顧客には開示されず、ＴＨＥ  ＰＲＩＭＥＲ  ＳＨＯＰ（登録商標）にのみ知らされる。ＴＨＥ  ＰＲＩＭＥＲ  ＳＨＯＰ（登録商標）は、モジュール参照ＩＤをプライマーおよびそれらの位置（このデータは本人確認には関連しない）にマッピングする、入手可能な／提供されるモジュールのデータベースを維持する。ライフスタイルに関する懸念／質問、または顧客が興味のある製品の製品／カテゴリーに関連するプライマーのセットを決定した後、顧客は注文を進めてもよい。顧客は、自身が興味を持つ検査／プライマーに対してのみ料金を支払う。プライバシーは、ａ）選ばれたプライマー、およびｂ）遺伝子検査結果、に関して保証される。ＴＨＥ  ＰＲＩＭＥＲ  ＳＨＯＰ（登録商標）は、顧客、または任意の第三者へは、プライマーの遺伝子配列も、検査プラットフォームのそれらの正確な位置も開示しない。さらに、そのキットのポイントオブケアの性質は時間のずれを除去し、かつ、顧客が情報を欲しいと思った時点における情報を与える。
【００６７】
プラグアンドプレイＤＮＡ鑑定モジュールを含むＴＨＥ  ＰＲＩＭＥＲ  ＳＨＯＰ（登録商標）の検査キットは、顧客の住所に配達されるだろう。サンプル調製キットも、サンプルの抽出を局所的に実行するために顧客へ送付されるが；そうでなければ、サンプルの抽出は第三者によって遠隔的に実行されうる。その後、図２の手順に従う。顧客は、検査プラットフォームに生体サンプルを載せることと、例えば、コンピュータデバイスのＵＳＢポートを使用して、テストモジュールを自身の家庭用コンピュータ（またはモバイルデバイス、例えばスマートフォン）へと差し込むことと、を含む指示に従うことで、検査を実行することができる。インターネット接続を介して、顧客のコンピュータデバイスはＴＨＥ  ＰＲＩＭＥＲ  ＳＨＯＰ（登録商標）（ＴＰＳ）のポータルへと接続される。ＴＨＥ  ＰＲＩＭＥＲ  ＳＨＯＰ（登録商標）は遠隔的に検査を始める。プライマーが存在する状態、または存在しない状態でＤＮＡ鑑定モジュールが多数の部位を含む場合には、このことが、ＴＨＥ  ＰＲＩＭＥＲ  ＳＨＯＰ（登録商標）プライマーが存在する場合の、および顧客が必要とする（例えば、料金が支払われる）部位を活性化することを伴う。検査が行われるとともに、ＴＨＥ  ＰＲＩＭＥＲ  ＳＨＯＰ（登録商標）は遠隔的に進行をモニタリングする。
【００６８】
典型的な手順では、モジュールは、デバイスの検査部位を活性化することによって生成されたデータを（ＴＨＥ  ＰＲＩＭＥＲ  ＳＨＯＰ（登録商標）の）サーバーへ送達する。データには、モジュールから読み取られるモジュール参照ＩＤと、アレイが始まる位置（例えばアレイアドレス（複数可）とが添えられる。ＴＨＥ  ＰＲＩＭＥＲ  ＳＨＯＰ（登録商標）しか、与えられたモジュール（参照ＩＤによって識別される）に関する与えられた位置にあるプライマーが分からないので、機密な遺伝子情報は、顧客のコンピュータデバイスにおいて、またはインターネットの任意の中間の位置においては入手可能とはならない。このことが、（転送されたデータは加えて暗号化されてもよいが）暗号化によって達することができるレベルさえ超えるセキュリティのレベルを提供する。
【００６９】
検査結果のデータはＴＨＥ  ＰＲＩＭＥＲ  ＳＨＯＰ（登録商標）サーバーによって受信され、必要ならば解読される（テストモジュールは、ＴＨＥ  ＰＲＩＭＥＲ  ＳＨＯＰ（登録商標）の一対の公開／秘密鍵の公開鍵を記憶するメモリを含んでもよく、顧客のコンピュータデバイスがＴＨＥ  ＰＲＩＭＥＲ  ＳＨＯＰ（登録商標）に送信するデータを暗号化することを可能にする。）その後、そのデータは、モジュール参照ＩＤによって識別されたテストモジュール上で使用されるプライマーのＴＨＥ  ＰＲＩＭＥＲ  ＳＨＯＰ（登録商標）の情報と、潜在的結果にマッピングされる特性のデータベースと、を使用して分析される。例えば、特定の対立遺伝子は特定の特性にマッピングされることもある。
【００７０】
検査の成果および分析に基づいて、ＴＨＥ  ＰＲＩＭＥＲ  ＳＨＯＰ（登録商標）は、結果の概要報告書を生成する。これは結果を要約する報告書であってもよく、特定の一般的なアドバイスや推薦を含む付随的な考察を提供してもよい。ＴＨＥ  ＰＲＩＭＥＲ  ＳＨＯＰ（登録商標）は加えて、検査結果に基づいた１つ以上の遺伝子学的フィルタコードを生成するか、または適用する。これらのコードは、特定の製品特性および／またはサービス特性にマッピングされる。例えば、コード「Ａ１２３」は、特性「グルテンフリー」にマッピングされることもある。コードは、ＴＨＥ  ＰＲＩＭＥＲ  ＳＨＯＰ（登録商標）の秘密鍵、またはＴＨＥ  ＰＲＩＭＥＲ  ＳＨＯＰ（登録商標）にのみ既知の共通鍵で暗号化される。
【００７１】
ＴＨＥ  ＰＲＩＭＥＲ  ＳＨＯＰ（登録商標）は、個人の実際の遺伝子型を開示することなく、クライアントのデバイス（または、電子メール、テキスト等などのいくつかのメッセージサービスを使用して）に、生成され暗号化されたコードまたは識別されたコードと共に、（顧客の当初の質問に答える）結果の概要報告書を送信する。報告書および付随的な暗号化されたコードは、例えば、ＤＮＡ鑑定モジュール上で顧客に提供される一対の公開／秘密鍵の公開鍵を使用して好ましくは暗号化され、顧客は検査結果のデータと共にＴＨＥ  ＰＲＩＭＥＲ  ＳＨＯＰ（登録商標）へその公開鍵を送信してもよい（ＴＨＥ  ＰＲＩＭＥＲ  ＳＨＯＰ（登録商標）は、ユーザーの秘密鍵のコピーは保持しない）。
【００７２】
ＴＨＥ  ＰＲＩＭＥＲ  ＳＨＯＰ（登録商標）はさらに、顧客に対して、購入の選択肢とともに、顧客の遺伝子型に適した様々な製品またはサービスを特定してもよい。顧客は、自身の好み、例えば価格、製品パッケージの環境へのやさしさ、ブランドの好み等に応じて、これらの製品および／またはサービスを選択することができる。ＴＨＥ  ＰＲＩＭＥＲ  ＳＨＯＰ（登録商標）は、その後、顧客に対して、新しい検査、製品および科学的な発見の情報を更新し続ける。これらの更新は、顧客の好ましい頻度および送達手段に従って送られるだろう。
【００７３】
ＴＨＥ  ＰＲＩＭＥＲ  ＳＨＯＰ（登録商標）は、顧客に自身の遺伝子プロファイルに応じて最も適した製品／サービスを推薦するために、数百または数千の市販されている製品／サービスをスキャンすることにより「遺伝子学的なフィルタ」として作用する。したがって、ＴＨＥ  ＰＲＩＭＥＲ  ＳＨＯＰ（登録商標）の顧客は、自身は最適な購入をしているが、自身が個人の好み、すなわち非遺伝的な好みに基づいた最終的な製品の選択をするので、選択の自由を保持しているという確信を持つ。
【００７４】
ＴＨＥ  ＰＲＩＭＥＲ  ＳＨＯＰ（登録商標）は、パートナー企業がＴＨＥ  ＰＲＩＭＥＲ  ＳＨＯＰ（登録商標）の個人の顧客に接触することを可能にするプラットフォームを提供する。これらのパートナー企業は、例えば「クリックスルー（ｃｌｉｃｋ−ｔｈｒｏｕｇｈ）」サービスを用いて、ＴＨＥ  ＰＲＩＭＥＲ  ＳＨＯＰ（登録商標）の仮想の「棚」上にスペースを持つことができる。代替的に、パートナー企業は、パートナー企業のウェブポータルから直接購入がなされたときに、顧客を支援するウェブブラウザアドイン（プラグイン）から利益を得ることができる。
【００７５】
ＴＨＥ  ＰＲＩＭＥＲ  ＳＨＯＰ（登録商標）のサービスモデルのアプリケーションは、人間の健康およびライフスタイルのために提供される実施例を越えて、動物、植物、微生物および菌類を含む任意の生命体に応用されうる。例えば、情報は、ペットのライフスタイル、栄養および血統履歴、特定の木のための肥料、  または腸内の微生物に関連して要求されることもある。そのような検査は、満足な生活状態、アレルギーのリスク、フィットネス、栄養補助、農業生産、環境制御／調査等のために実行されてもよい。
【００７６】
プライバシーは、サービスおよびその顧客のための主要な優先事項であるに違いない。したがって、サービスは検査されているプライマーの配列および遺伝子型を開示しないことにより、その顧客の機密を保護する。
【実施例】
【００７７】
ライフスタイルに関する懸念「私はビタミンＤを補充する必要があるのか？」を述べる顧客を考えてみる。ＴＨＥ  ＰＲＩＭＥＲ  ＳＨＯＰ（登録商標）は、そのカタログ内で、配列：ＡＴＣＴＣＴＧＴＣＴＣＴＴＡＡＴＴＡＴＣＴＣＡＣＡ［Ａ／Ｃ］ＡＧＣＣＡＧＧＴＡＴＴＴＴＴＴＡＴＴＧＴＴＡＧＣＴを有する、プライマーＸＸを提示する。
【００７８】
このプライマーは、ＧＣ遺伝子（群特異的構成要素；ビタミンＤ結合タンパク質）をマッピングし、ＳＮＰ  Ｒｓ２２８２６７９を分析することができる。Ｒｓ２２８２６７９（Ａ）対立遺伝子は正常な対立遺伝子とされ、ビタミンＤ欠乏症のリスクが皆無であることに関係する一方、Ｒｓ２２８２６７９（Ｃ）は、ビタミンＤ欠乏症のリスクの増加に関係する。個人は、ａ）２つのＲｓ２２８２６７９（Ａ）対立遺伝子を持ち、かつビタミンＤ欠乏症に対する増大した素因を持たないか、ｂ）Ｒｓ２２８２６７９（Ａ）対立遺伝子およびＲｓ２２８２６７９（Ｃ）対立遺伝子を持ち、多少より低いビタミンＤ濃度を持つ１倍の増大したリスクを持つか、またはｃ）２つのＲｓ２２８２６７９（Ｃ）対立遺伝子を有し、ビタミンＤ欠乏症の１．５倍増大したリスクを持つ、可能性がある。クライアントに上記の情報を全て提供する代わりに、ＴＨＥ  ＰＲＩＭＥＲ  ＳＨＯＰ（登録商標）のアプローチは、以下のとおりである。
【００７９】
顧客は、ライフスタイルに関する懸念「私はビタミンＤを補充する必要があるのか？」に対して答えることに役立つプライマーＸＸを選択する。しかしながら、選別される実際の遺伝子、およびプライマーの配列は顧客には開示されないし、暗号化された形式でさえ、いかなる段階においてもインターネット上で送信されない。このことは、遺伝子情報の保管として必要であり、ＴＨＥ  ＰＲＩＭＥＲ  ＳＨＯＰ（登録商標）の外部では、セキュリティ上のリスクがある。［備考：顧客のコンピュータデバイスに記憶されたデータは、攻撃者が私的データへのアクセスを得ることを可能にするマルウェアの蔓延しているため、場合によっては、最も高いリスクにさらされる。］顧客には、モジュール参照ＩＤを記憶するテストモジュールのメモリを備える、適切に用意されたＤＮＡ鑑定モジュールを含むテストキットが単に送られる。この段階において、ＴＨＥ  ＰＲＩＭＥＲ  ＳＨＯＰ（登録商標）は、概要報告書を含む、顧客の遺伝子型に関する全ての情報を削除する（モジュール参照ＩＤはデータベース内に記憶され、モジュールおよびそれらの位置におけるプライマーにマッピングされるが、これはどの本人確認にも関連していない。）ＴＨＥ  ＰＲＩＭＥＲ  ＳＨＯＰ（登録商標）は、データに関連づけられた顧客の基本的な申し込み情報（ｂａｓｉｃ  ｓｕｂｓｃｒｉｐｔｉｏｎ）と、顧客によって引き続き送信され、顧客の秘密鍵とともに暗号化されたデータを解読することを可能にするために、随意に、自身の公開鍵のみを保持する。
【００８０】
同様に、プライマーＸＸを使用して実行された検査の正確な詳細は、最大限のプライバシーを確かなものにするために、サービスのどの段階においても開示されない。プライマーＸＸ、検査位置、およびモジュール参照ＩＤによって生成されたデータのみが、ＴＨＥ  ＰＲＩＭＥＲ  ＳＨＯＰ（登録商標）にオンラインで送信される。ＴＨＥ  ＰＲＩＭＥＲ  ＳＨＯＰ（登録商標）によって返された分析は、自身の対立遺伝子または遺伝子型を開示しないが、結果の説明のみ、例えば、ビタミンＤ欠乏症が発現する高いリスクにさらされているか、そうではないか、それ故、ビタミンＤの補充が必要であるか、そうではないか（すなわち当初の質問／懸念に対する答え）のみ開示される。この段階において、顧客が、ビタミンＤ欠乏症を発現させるリスクにさらされていれば、液体状のＭｕｍ’ｓ  Ｄｄｒｏｐｓ（商標）、Ｂｏｏｔｓ（登録商標）ビタミンＤタブレット、ｓｏｌｇａｒ（登録商標）ビタミンＤ３  ４００ＩＵソフトカプセル、またはタブレット、ＳｉｍｐｌｙＳｕｐｐｌｅｍｅｎｔｓ（登録商標）ビタミンＤ  ４００ＩＵ等、などから選択するために、ビタミンＤの適切な濃度（例えば、毎日０．０１ｍｇ）を含む様々なビタミンＤサプリメントが提示されるだろう。さらに、この解釈された情報は、このデータをできるだけ安全に保つことさえも確かなものにするために、暗号化された形式でＴＨＥ  ＰＲＩＭＥＲ  ＳＨＯＰ（登録商標）から顧客のもとに送信される。
【００８１】
上で留意されるように、顧客に提供される概要報告書は製品またはサービスの提案を含んでもよい。その報告書が顧客のコンピュータデバイスのウェブブラウザに表示される場合、顧客はリンクをクリックすることにより製品またはサービスを選択することができてもよく、それゆえに、注文は、ＴＨＥ  ＰＲＩＭＥＲ  ＳＨＯＰ（登録商標）の購入ポータルを介するか、またはパートナーのポータルを介して（すなわちクリックスループロセス）なされてもよい。受注情報は、顧客の一対の公開／秘密鍵を使用して安全な状態にされてもよい。
【００８２】
クライアントのコンピュータデバイスは検査結果を保持しない。むしろ、それは概要報告書および遺伝子学的フィルタコードのみしか保持しない（遺伝子学的フィルタコードは、顧客の秘密鍵を使用して第１のレベルまで解読されている一方、それらはＴＨＥ  ＰＲＩＭＥＲ  ＳＨＯＰ（登録商標）の秘密鍵で暗号化されたままである）。ＴＨＥ  ＰＲＩＭＥＲ  ＳＨＯＰ（登録商標）へ（暗号化された）コード（複数可）を送信することにより、ＴＨＥ  ＰＲＩＭＥＲ  ＳＨＯＰ（登録商標）は、それらがＴＨＥ  ＰＲＩＭＥＲ  ＳＨＯＰ（登録商標）の秘密鍵を使用して解読される場合、例えば、任意の新しく獲得したデータ（例えば、遺伝子学的／科学的、または新しく利用可能な製品およびサービス）を使用する分析を繰り返し、顧客まで最新の製品および／またはサービスの選択を提供することが可能である。もう一度、最新の報告書が用意され顧客へ送信された後、ＴＨＥ  ＰＲＩＭＥＲ  ＳＨＯＰ（登録商標）は、報告書および遺伝子学的フィルタコードを含む、全ての遺伝子学的に関連するデータを削除する。
【００８３】
製品またはサービスの購入を促進するための代替的なアプローチは、顧客のコンピュータデバイスにインターネットブラウザのアドインまたはプラグイン、（または、製品提供業者が、例えば、ＡＭＡＺＯＮ（登録商標）のためのアプリケーションを有することもある専用のインターフェースのための類似の構成要素）を提供するＴＨＥ  ＰＲＩＭＥＲ  ＳＨＯＰ（登録商標）を含む。このことは、図３に概略的に例示されており、動作手順は図４に例示されている。そのプラグインは、顧客のコンピュータデバイスにおいて記憶される、予め受信されや遺伝子学的フィルタコードへアクセスできる。一旦、インターネットブラウザへとインストールされると、顧客は自身のウェブブラウザを開き、オンラインで買い物を始め（ステップ（１００））、アドインによる補助を得るためのＴＰＳボタンをクリックする（ステップ（２００））。そのプラグインは、顧客の暗号化された遺伝子学的フィルタコードにアクセスし、アクセスしたウェブサイトのＩＤと共にそのフィルタコードをＴＨＥ  ＰＲＩＭＥＲ  ＳＨＯＰ（登録商標）に送信する（ステップ（３００）／（４００））。備考：この情報は匿名で送信され、ＴＨＥ  ＰＲＩＭＥＲ  ＳＨＯＰ（登録商標）が遺伝子学的フィルタコードを顧客に関連づけることを防止する。ＴＨＥ  ＰＲＩＭＥＲ  ＳＨＯＰ（登録商標）は、その秘密鍵により遺伝子学的フィルタコードを解読し、例えば製品のフィルタリングされたリストなどの、ブラウザウインドウ内でユーザーに提示される情報をフィルタリングするために使用されうる情報を、顧客のプラグインに返信する（ステップ（５００））。［この情報は、顧客の公開鍵を用いて暗号化されて、再び送信されうる（例えば、顧客のリクエストと共に送信されうる）。］例えば、そのプラグインは、顧客に対して不適当である見なされる特定の製品またはサービスを「グレーアウト」してもよく、かつ顧客は、フィルタリングされた選択から製品を選択し始めることができる（ステップ（６００））。このように、ＴＨＥ  ＰＲＩＭＥＲ  ＳＨＯＰ（登録商標）はパートナー企業のウェブサイトへの「入口」として動作する。
【００８４】
フィルタの適用前に、プラグインは顧客の認証手続きを始めてもよく、顧客にＴＨＥ  ＰＲＩＭＥＲ  ＳＨＯＰ（登録商標）サーバーに対して自身を認証することを要求する。その後、ＴＨＥ  ＰＲＩＭＥＲ  ＳＨＯＰ（登録商標）は、フィルタが適用されるときになされた購入をトラッキングすること、例えば、ＴＨＥ  ＰＲＩＭＥＲ  ＳＨＯＰ（登録商標）によって生じたパートナー企業に対する請求代金を一致させることが可能である。この認証およびトラッキングの手続きは前述の段落において記載された手続き、すなわちＴＨＥ  ＰＲＩＭＥＲ  ＳＨＯＰ（登録商標）の遺伝子学的フィルタコードの送信をすること、には関係しない。このアプローチを使用すると、顧客のコンピュータデバイスの外部の遺伝子学的に関連する情報は漏洩しないことが理解されよう。具体的には、購入がなされるパートナー企業にはデータは漏洩しない。
【００８５】
ＴＨＥ  ＰＲＩＭＥＲ  ＳＨＯＰ（登録商標）は、スマートフォンおよび他のモバイルデバイス上で作動させることができるアプリケーション（「アプリケーション（ａｐｐ）」）を、その顧客に提供してもよい。このツールは、「その場での（ｏｎ−ｔｈｅ−ｓｐｏｔ）」店舗内購入またはオンライン購入のための、製品の選択またはライフスタイルのアシスタントとして使用することができる。そのアプリケーションは、ユーザーが店舗内で製品バーコードをスキャンし、ＴＨＥ  ＰＲＩＭＥＲ  ＳＨＯＰ（登録商標）から検索される遺伝子学的フィルタコードに関係する情報を検索し、ユーザーの遺伝子学的フィルタコードに基づく選択を絞り込むことにより製品をフィルタリングすることを可能にするだろう。また、しかしながら、そのアプリケーションは暗号化された遺伝子学的フィルタコードに単にアクセスするだけであり、遺伝子学的に関連する情報は漏洩しない。図５は、典型的なアプリケーションの動作を例示する。
【００８６】
製品の製造／提供業者が、ＴＨＥ  ＰＲＩＭＥＲ  ＳＨＯＰ（登録商標）とパートナー関係にある場合には、その製品は「ＴＨＥ  ＰＲＩＭＥＲ  ＳＨＯＰ（登録商標）Ｏｕｉｃｋ  Ｒｅｓｐｏｎｓｅ  ｃｏｄｅ」（ＴＰＳ−ＱＲコード）を有してもよい。ＱＲコード（登録商標）は、暗号化された形式で、ＱＲコード（登録商標）を付けられた特定の製品に関連する遺伝子学的フィルタコードのリストを含む。［ＴＰＳ−ＱＲコードは、そのクライアントの実際のプライマーの配列および実際の遺伝子型を開示しないという、ＴＨＥ  ＰＲＩＭＥＲ  ＳＨＯＰ（登録商標）の方針に従って暗号化される。］このことが、顧客のコンピュータデバイスにインストールされた適切なアプリケーションが、ＱＲコード（登録商標）情報および暗号化された顧客の遺伝子学的フィルタコードを含むＴＨＥ  ＰＲＩＭＥＲ  ＳＨＯＰ（登録商標）に、クエリを送信することを可能にする。また、ＴＨＥ  ＰＲＩＭＥＲ  ＳＨＯＰ（登録商標）は、そのアプリケーションが製品フィルタデータ、例えば製品および／または適切な代替製品の適性に関するアドバイスを提供することを可能にするデータを返信することができる。
【００８７】
そのアプリケーションは、インテリジェントな、対話式の、直観的なアシスタントである。例えば、顧客が食料雑貨店の敷地内にいるとき、そのアプリケーションは、購入する必要がある製品のタイプを顧客に思い出させてもよい。顧客がジム内にいるとき、そのアプリケーションは、どのような種類の運動をする必要があるのかを顧客に思い出させてもよい（例えば、行なった実際の運動をトラッキングするデバイス内に提供される、加速度計、運動センサなどのいくつかの機構と、場合によってはリンクされている）。
【００８８】
ＴＨＥ  ＰＲＩＭＥＲ  ＳＨＯＰ（登録商標）は、顧客に、例えば、ＵＳＢ接続を介して顧客のコンピュータデバイスに接続されるように構成される第１の部分を有する、２部式のテストモジュールを提供してもよい。この第１の部分はさらに、複数のソケットを介して、複数の使い捨てのサンプル部を受けるように構成される。サンプル部は、選択されたプライマー、および分析される遺伝子材料を受けるための手段を含む。サンプル部は、例えば第１の部分へ挿入された後に、個々にアクティブ化される。このアプローチは、検査が並行して実行されることを可能にするが、その検査は異なる時間において始まる。これは、顧客のコンピュータデバイスに接続するための入力／出力インターフェースを有する第１の部分（２００）と共に、サンプル調製キット（１００）を示す図７において例示される。第１の部分（２００）は、６つの使い捨てのサンプル部（３００）を接続するためのソケットを持つ。
【００８９】
図８は、顧客に、個別化された遺伝子学的に関連するアドバイスを提供することに対する２つのアプローチを概略的に例示する。このアプローチによって、出発点として、遺伝子情報を採用し、これに基づいて、特定の製品（またはサービス等）に関するアドバイスを提供できるか、または出発点として、チョコレートバーのブランドなどの製品（またはサービスなど）を採用し、その後遺伝子検査を勧めることができる。
【００９０】
図９は、上記された方法および装置を利用する製品注文サービスを概略的に例示する。この図は以下のステップを示す：
ステップ（１００）：ユーザーが、テストキットプラグアンドプレイプラットフォームを購入し、生体サンプルを適用し、コンピュータまたはモバイルデバイスを介してインターネットに接続する。
ステップ（２００）：顧客の遺伝子学的フィルタコードが、ＴＨＥ  ＰＲＩＭＥＲ  ＳＨＯＰ（登録商標）ポータルに送信される。
ステップ（３００）：遺伝的素因が測定される。
ステップ（４００）：製品が、顧客の遺伝子学的フィルタコードに従ってマッピングされる。
ステップ（５００）：製品の推薦が、ＴＨＥ  ＰＲＩＭＥＲ  ＳＨＯＰ（登録商標）ポータルで探索され、顧客の遺伝子学的フィルタコードに対応付けられる。
ステップ（６００）：製品の推薦が顧客に送信される。
ステップ（７００）：顧客が、自身が好む製品を選択し、購入の手続きをする。
ステップ（１００）からステップ（７００）は、安全なサーバーのリンクを介して、秘密鍵と公開鍵システムの暗号化を用いることにより実行される。
【００９１】
ここで、ライフスタイルの管理、特に適切な栄養製品の選択へと呼気分析を応用する、新規性のある方法／装置を提案する。例えば、中鎖脂肪酸の吸収と関連のある１３Ｃ−オクタノアート放散速度を検査することもある。それに応じて、顧客は、低脂肪製品を一時的に選択するようにアドバイスされることもある。
【００９２】
他の例として、ラクトース不耐症および消化不良症がある。遺伝子型は、ラクトース不耐症の可能性の徴候を示しうる一方、Ｈ２およびＣＨ４における呼気分析によって、症状がラクトース不耐症または消化不良症に近いかどうかが、さらに明確にされうる。
【００９３】
同様に、呼気分析によって、胃の内部のマイクロバイオームの活性が示されうる。食物を消化するときは、単に人体器官のみが関係しているわけではなく；数十万ものバクテリアも関係している。したがって、マイクロバイオームの疾患について知ることは、どのように栄養摂取を適宜調節することができるのかを理解するのに役立ちうる。
【００９４】
図３０は、推薦を提供することによって、ユーザーが（製品の選択または活動を）決定するのを支援するシステム／方法の概要を提示する。個人のレベルまたはバイオマーカー（息内の化合物）のグループのパターンに基づいて、そのシステム／方法は、各決定の起こりうる結果を識別／予測することができる。したがって、推薦することによって、その他の結果よりも潜在的により良い結果がもたらされうる。このシステムでは、物質代謝の活動がどのように変化してきたのかを示すために、過去の分析も考慮されることもある。
【００９５】
生物学的測定、生理学的測定、および活性測定は、各種情報およびパラメータから成ってもよい。例えば、それらは、人の遺伝的背景、後成的分析、遺伝子発現、ホルモンおよびビタミンの濃度、身体活動および運動、体重および身長、グルコース濃度等を考慮することもある。それらは、過去の呼気検査の結果も含むこともある。
【００９６】
例えば、顧客は、一塩基多型（ＳＮＰ）の保有者であることもあり、これによってその顧客は、最終的には糖尿病患者になることもある。息中のアセトン濃度の変化をモニタリングすることで、顧客がリスクにさらされているかどうか、および自身の食事をより管理する必要があるかどうかを示すことができるが、あるいはそうでなければ、顧客は調子がよく、遺伝的変異は発生していないままであることを示すことができる。
【００９７】
上記の言及は、ユーザーの個人の遺伝子情報に基づいて製品を特定し製品の推薦を提供するためにバーコードスキャン機能を備えるスマートフォンの使用に対してなされてきた。ここで、他の「ウェアラブルな」デバイスタイプに類似の機能を実装することを提案する。特に重要な実装は、リストバンド型デバイス内における実装である。図１０は、機能が、１対のリストストラップの間に接続されるか、またはそのリストストラップと一体的に形成されるモジュール内に実装される、１つのそのようなデバイスを概略的に例示する。そのモジュールは、時計、腕輪、フィットネストラッカーバンド等の既存のリストバンドに付属する、例えば、スナップフィットするように構成されてもよいことが、もちろん理解されるだろう。以下で述べられるように、モジュール（または、以下「リストバンド」として言及されるもの）は、スマートフォンなどのコンピュータデバイス、例えば無線データネットワークを介して順に通信するスマートフォン、またはバックエンドデータサービスを動作させる（クラウド）サーバーと無線で通信するように構成される。
【００９８】
非常に一般的な用語では、リストバンドは、好ましくは、必ずしもそうとは限らないが、着用者の個別化された遺伝子データを使用して測定された、製品コードおよびそれぞれの製品の推薦を含む流通している製品に関するデータを維持するために組み立てられ、構成される。これらの製品コードは、１Ｄまたは２Ｄのバーコード（例えばＵＰＣ／ＥＡＮ）、ＱＲ、ＩＳＢＮ、ＰＤＦ４１７、Ｄａｔａ  Ｍａｔｒｉｘ等などの機械可読なコードに相当する。リストバンドは、購入または使用すること意図される製品にプリントされるか、そうでなければ備えられる製品コードを読み取るためのバーコード読み取り機などの製品コード読み取り機に備えられる。製品コード読み取り機のそのような１つの例は、画像化されたバーコードを認識するための、およびバーコードをデジタルコードへと変換するための関連する処理回路を備えるカメラである。このリストバンドはさらに、製品の推薦を探索するために、製品コードおよび製品の推薦のデータベース内のルックアップキーとして、読み取られた製品コードを使用するためのプロセッサ回路を含む。そのリストバンドには、測定された製品の推薦の指標を着用者に対して提供するための手段も備えられる。このリストバンドは、振動信号を提供する振動モータを含みうる。もちろん、その手段は、ユーザーに対して視覚信号または音響信号を代替的にまたは付加的に提供してもよい。
【００９９】
典型的な使用シナリオでは、リストバンドには、スマートフォンを介して、自身の地理的領域、例えば英国内で入手可能な食料品のための製品コードがロードされることもある。そのリストバンドには、着用者のためのそれぞれの製品の推薦（または、少なくとも入手可能なおよび／または有益な製品の推薦）もロードされる。これらの推薦は、クラウドからダウンロードされた製品データとともに、着用者のためのＴＰＳコードを適用することで、スマートフォンによって決定されてもよい。例えば、スマートフォンによって、製品内容の詳細と共に、クラウドから製品コードをダウンロードしてもよい。高脂肪含有量を持つ特定の製品に対しては、ＴＰＳコードの適用は、その製品が着用者には推薦されず、それゆえ製品、またはむしろ製品コードが比較的低い製品の推薦に関連付けられることを示しうる。その推薦は単純に、「はい」もしくは「いいえ」であるか、または例えば１から１０の値でありうる。着用者はさらに、例えば、スマートフォンの管理インターフェースを使用することによって、ライフスタイルの好み（例えば、砂糖、またはカロリー摂取量減少目標など）を手動で入力することによりサービスを個別化してもよい。
【０１００】
着用者が食料雑貨店に入るときには、リストバンドには、製品コードおよび製品の推薦が既にロードされており、そのため、例えば、クラウド、またはスマートフォンへの接続は要求されない。着用者は興味のある製品を見つけ、製品バーコードをスキャンする。着用者は、例えば、短い振動によって、その製品を推薦する即時のフィードバックが与えられる。その製品が推奨されない場合、持続性の振動が生成されてもよい。このフィードバックに基づいて、クライアントは、より健康的なおよび／または適切な選択をするように導かれるか、または「合図される」。リストバンド上の表示が適切な場合、そのリストバンドは、１つの製品がデータベース内で利用可能な場合、より適切な製品の指標を提供することもある。そのリストバンドはまた、接続が利用可能な場合、そのような指標を提供するために、および／またはさらなる製品情報を提供するために、この時点において着用者のスマートフォンと通信してもよい。
【０１０１】
そのリストバンドはさらに、スキャンされた製品が購入されたという確認を得るように、および将来の使用のためのこのデータの記録するように構成されてもよい。指標は、着用者が、リストバンド上のボタンを押すこと、モジュールをタップすること、自身の手首を振ること等によって与えられてもよい。機構は、例えば、考えが変わったときのために、購入リストから製品の除去を可能にするためにも提供されてもよい。代替的に、購入データは、店の領収書をスキャンすることにより、またはクラウドとのいくらかのやり取りによりスマートフォンへ提供されてもよく、それによって、店は、ユーザーのスマートフォンによってアクセス可能なアカウントに購入明細を転送する。
【０１０２】
購入を特定するデータは、着用者のための製品の推薦を決定するその機構にフィードバックされることもある。例えば、着用者の遺伝子情報が、与えられた製品のための一般的には高いかポジティブな推薦を結果としてもたらす場合において、着用者がその製品を大量に消費することを決めた場合、またはその内容物（例えば脂肪）を把握した場合、その製品の推薦は、着用者に消費を少なくするように合図（ｎｕｄｇｅ）するために少なくされる。
【０１０３】
遺伝子情報はもちろん個人的なものであるが、特に食料品店に関する多くの製品の購入は、１グループの人々、例えば、家族および／または友人達によって消費されるように意図されることが認識されている。したがって、個人のグループのための製品の推薦を反映するために、リストバンド内のデータベースが更新されることを可能にすることが望ましいこともある。このことは、データを統合することによって、例えばグループのメンバーにわたって製品の推薦を分配することによって、および／または特定の製品または成分の不耐性またはアレルギーを考慮することによって達成されてもよい。このことは、以下でより詳細に検討される。
【０１０４】
より高度なサービスは、例えば、製品成分、栄養素含有量、％ＲＤＡ（１日あたりの推奨摂取量）または％ＲＩ（基準摂取量）、または％ＮＲＶ（栄養基準値）、アレルゲン情報、製品の特長、機能、製品成分の起原、製造手順、プロダクトマイレージ、有機認証等を含む、製品バーコード内に記録されたデータを考慮することも可能でありうる。このデータは、製品の推薦を調整するために使用されうる。
【０１０５】
図１０は、システムアプリケーションの概要を提示する。着用者が製品バーコードをスキャンし、そのリストバンドが製品についての推薦を出力する。これは、様々な方法で実装することができる。推薦を与えるための分析は、局所的に（図１１）行うことができるか、または、上で説明されたようなデバイス（図１２）に予めロードされうる。両方のシナリオでは、そのリストは、例えば、クラウドベースのサーバー（図１３）を通って、直接、または着用者のスマートフォンを介して更新されうる。
【０１０６】
図１４は、リストバンドの構造の例となる概略的なブロック図を示す。その構成要素は、以下のものを含む：
製品バーコードをスキャンするようなバーコードスキャナ（例えばＣＭＯＳ撮像装置（ＣＭＯＳ  ｉｍａｇｅｒ））。
読み取られたバーコードを記憶するランダムアクセスメモリ。
関連する個別化された結果、すなわち製品の推薦を備える全ての製品バーコードのリストを含むバーコードメモリ（データベース）。
（ローカル処理の場合でのユーザーの遺伝子情報（遺伝子型判定検査結果、例えばＴＰＳコード）を記憶するメモリ。）
【０１０７】
上で検討されてきたように、そのシステムは、ユーザーが、適切ではなく、かつ避けたほうが良い製品を特定する際に役に立つ。さらなる改良によって、例えば、ユーザーの生物学的／生理学的状態を考慮して、そのシステムは、ユーザーに潜在的により適切な製品をユーザーに勧めることができる。図１５および図１６は、この概念を例示する。それらの図は、「１」から「７」の尺度で製品を評価するシステムを例示し、ここで「１」は高く推奨され、そして「７」は推奨されない。
【０１０８】
既に示唆されてきたように、個人の遺伝子情報は、製品の推薦を判定するために、ユーザーの好みなどの追加情報で補われてもよい。この情報のうちの一部は、ＴＰＳコードを測定するときに考慮されてもよく、製品の推薦を測定するためにＴＰＳコードと共に使用されてもよい。図１７は、製品の推薦の測定に対する「全体的な」アプローチを概略的に例示し、ここで、出力された結果（図形の右側）が、製品の推薦である。ここで特に重要なものは、後成的な情報、および検知されたデータである。
【０１０９】
＜後成的なデータ＞
ユーザーの後成的なデータによって、例えば、ユーザーの生活様式および食事の変化が原因のユーザーの生理機能の変化を確認することができることは知られている。ある時間間隔でユーザーの後成的なテストを行なうことによって、製品の推薦は変更／改善されてもよい。例えば、後成的なデータは、ある製品を購入することまたは購入しないことが、ユーザーのポジティブな健康上の利益を結果として生じさせていることを、製品購入に関して収集されたデータと組み合わせて示すこともある。このことは、製品の推薦を更新するときにシステムによって考慮されることもあり、例えば、ユーザーが予め高脂肪の製品を消費することが勧められなかった場合に、この製品の推薦は、一部の制限された消費が現在それほど有害ではないことをユーザーに示すように合図することもある。
【０１１０】
後成的なデータは、例えば、ユーザーの遺伝子材料（口腔粘膜検体採取、だ液サンプル、血液サンプル等を使用して得られる）のサンプルを分析することによって得られてもよく、または転写データは、ユーザーのｍＲＮＡを分析することによって得られてもよい。
【０１１１】
＜検知されたデータ＞
ここで、システムをリストバンドなどのウェアラブルデバイスへと組み込む提案によって、生化学的、および生理学的／環境データなどの検知されたデータを使用することが可能になる。特に、そのデバイスは、着用者の心拍数をモニタリングするように構成されてもよく、従って着用者がカロリーを燃やす心拍数を測定してもよい。この検知されたデータは、短期間、中期間、または長期間のうちのいずれかでの製品の推薦を修正するために使用されうる。例えば、そのシステムが、着用者がたった今、身体的に極めて活動的であったと検知する場合、高い糖度を含む飲料が推薦されてもよい。その後、その飲料の推薦は長期間の値に戻る。
【０１１２】
図１８は、製品の推薦の高度な計算および再計算を可能にするデバイスアーキテクチャを概略的に例示する。そのシステムは、着用者の生化学的、かつ生物学的−生理学的データを測定するためのバイオセンサと、これと遺伝子データとを直接あるいは間接的に組み合わせるための回路と、を含む。もちろん、特定の回路がスマートフォンおよび／またはクラウド内で実施されてもよい。
【０１１３】
図１９は、ユーザーの遺伝子型の、エピゲノムの、生物学的な、物理的な、および行動的な特性を考慮する、より高度なシステムを示す。生化学センサの一例は、着用者のグルコース濃度、コレステロール濃度、またはホルモン濃度を測定するためにマイクロニードルを使用する、リストバンドの下側の配置されたセンサであってもよい。そのデバイスにはさらに、環境センサ、例えばＵＶセンサが提供されてもよい。そのようなセンサによって生成された結果はまた、製品の推薦を決定および／または使用するために供給されてもよい。
【０１１４】
活性度、健康等をモニタリングするためのフィットネスバンドの現在の人気を考慮して、システムを、本明細書に記載されたそのようなフィットネスバンドへと組込むことは重要だろう。もちろん、フィットネスバンドは、上で提案されたセンサのいくつかをすでに含む。フィットネスバンドの構成要素と新しい機能との間に、いくらかの相乗作用があることもある。例えば、パルス光心拍数モニタの光学部品は、さらなる光源および／または光検出器の必要性を避けるために、バーコードスキャナへと組み込まれてもよい。
【０１１５】
そのデバイスは、スキャンされるバーコードを位置付けてキャプチャーするのに役立つ照準手段または標的手段を含むように改良されてもよい。例えば、そのデバイスは、スキャニング領域の中心点へと光点を投影することもある。ユーザーは、バーコードの中心へと光点を位置付ける。そのデバイスは、バーコードを自動的に認識し、コードをキャプチャーするための手段を有してもよいし、ユーザーに、そのボタンを押させて、場合によっては音声コマンドを提供することもある。
【０１１６】
管理アプリケーションを用いて、例えば、着用者のスマートフォンにおいて、着用者は、個人のアレルギー、例えばナッツアレルギー、または不耐性に関するデータを入力してもよい。これらは、遺伝子検査によって選出された要因であってもよく、したがって、ＴＰＡコード内に反映されない。
【０１１７】
デバイスの電池寿命を最大化することが望ましく、そしてこのことは、スキャンの考えられる高い出力要求を考えると、困難となりうる。それゆえ、そのデバイスは、低電力のスリープモードおよび比較的高出力なアクティブモードで作動するように構成されることもあり、そのデバイスは、一般的な製品コードを認識すると、アクティブモードへ切り換わるスリープモードで動作可能である。したがって、例えば、そのデバイスの撮像システムは、必ずしもコードを読み取ることなくバーコードを認識する、例えば、黒線および白線のセットを単に識別することができてもよい。そのようなパターンが検知されたときに限り、そのデバイスは、バーコードが読み取られ、解読されて、推薦が決定され、提示される高出力モードに切り換わる。
【０１１８】
ここで、本提案に戻ると、この製品の推薦は、個人のグループにわたって評価され、既に言及されたように、買い物は必ずしも常に個人的なものだとは限らないが、家族／世帯のために行なわれてもよい。買い物かごは、家の人々がみな使用する製品によって占有される。この場合は、そのシステムは、最適な製品リストを決定できる、あるいはユーザーに特定の製品が家の人々に適切かどうか、または会員によって特に避けられているかを伝えることができる。図２０および２１は、そのシステムは、共通のかごを共有する人々の間で、どのように製品リストの共有と、および製品の最適な共通リストの作成とを支援するのかを示す。例として、図２０に示されるように、２人の個人の製品の推薦リストは、買い物をする人のデバイス上にダウンロードされる単一のリストを作成するために統合されてもよい。代替的に、図２１に示されるように、製品の推薦を決定するために、個々のリストが買物客のデバイス上へとロードされ、そのリストが検査され、その結果が組み合わされてもよい。
【０１１９】
図２２は、４人の個人のグループに関する多数のビスケットブランドからの最適な製品の選択を、計算によって特定を支援する方法の例を例示する。各人の各ビスケットに、製品の推薦（スコア）を与えた。スコアが低い（ネガティブな）ほど、それほど適切ではないと考慮される。スコアが高いほど、ビスケットは、ユーザーのテンプレートにより良く一致する。ここで、最適なビスケットを見つけるために総合スコアが算出される。最も高いスコアを示すビスケットが、選択される製品である。しかしながら、選ばれるビスケットは、４人の個人いずれかに対してネガティブなスコアを持たないものであるべきである。本実施例においては、ビスケット２が推薦される。
【０１２０】
共有の本概念は、様々な方法で実装されうる。ウェアラブルデバイス（例えばリストバンド）を考慮すると、２以上のデバイス間の無線接続は、製品のリストおよびプロファイルの転送（共有）を可能にすることができる。この接続は例えばＮＦＣ、赤外線、Ｂｌｕｅｔｏｏｔｈ（登録商標）、Ｗｉ−Ｆｉ等であってもよく、ピアリストバンドが互いに近づくか、互いに触れる、すなわち「ぶつかり（ｂｕｍｐ）」合うとき、アクティブ化される。ある程度の事前承認は、思いがけない共有を避けるために必要とされてもよく、例えば、あるユーザーは、スマートフォンの管理アプリケーションを使用して、他のユーザーを自身の連絡先一覧へ加えてもよい。可能性のある実装は、図２３に概略的に例示されている。もちろん、ユーザーが様々なグループのために買い物をしてもよいという事実を考慮して、グループ内の個人の様々な組み合わせ、または自身単独での組み合わせで、システムは設定可能であってもよい。例えば、そのウェアラブルデバイスは、着用者が組み合わせのオプションを選択し、選択したならば、その組み合わせが関係する個人を選ぶことを可能にする。
【０１２１】
デバイスが個別化されたデータを利用しているので、ある状況において、着用者を特定する事ができることが望ましいこともある。例えば家族が単一のデバイスを共有する場合を検討する。そのデバイスがある個人のための正確な製品の推薦を選ぶことを可能にするために、そのデバイスは、生理学的データ、動作データ（例えば移動の特定のパターン）などの検知されたデータに基づいて、個人を特定するように構成されてもよい。
【０１２２】
場合によっては、ユーザーは、その情報が共有されていない、または別の個人がデータを入手していない（例えば、サービスを購読していない）ため、自身のために買い物をしている別の個人のための製品の推薦へアクセスできないこともある。その別の個人が遺伝子学的に関係する家族である場合、遺伝性があると公知な遺伝子に基づいて、製品の推薦のフィルタリングを提供することが有益であることもある。着用者のスマートフォンから受信される製品コードは、一部の遺伝体質に関連するコードを特定するためにマークされてもよい。推薦は、単にマーカーと共に提供される製品のために提供されてもよい。共有オプションと同様に、そのデバイスには、この遺伝ベースの選択を断続的に切り替えるために、いくつかの手段が提供されてもよい。
【０１２３】
そのシステムはウェアラブルであるように実装され、バーコードを備えたユーザーの個別化された製品リストを運ぶことができる。ユーザーが製品バーコードをスキャンするとき、そのシステムはユーザーの選択の適切性を知らせる。ユーザーは様々な方法で結果の通知を受けてもよい。例えば、色光が製品バーコード上に投影されてもよいし（例えば、適切を示す緑色、不適切性を警告する赤色、および適切であるが、自身に対して実際により良いものがあることを顧客に知らせるこはく色）；スクリーンの色が変わたり、揺れたりしてもよい。
【０１２４】
図２４は、上記された重要な機能を実装するウェアラブルデバイスの４つの代替的な実施形態を例示する。これらの実施形態は以下のとおりである：Ａ．指輪またはキーホルダー；Ｂ．例えば、財布、バッグまたはポケット内で運ぶために適しているスタンドアロンユニット；Ｃ．時計のリストバンドに取付けるためのモジュール；Ｄ．リストバンドへと統合されるモジュール。
【０１２５】
図２５は、デバイスを制御するために着用者が音声コマンドを使用することを可能にするマイクロフォン（「Ｍｉｃ」）を含むオーディオインターフェースを備えたデバイスを概略的に例示する。これによって着用者は、例えば、スキャンされた製品が購入されていることを確認するために、デバイスと情報交換することが可能となるだろう。着用者がデバイスと情報交換するための他の方法は、以下のものを含みうる：
スクリーン上をタップすること（例えば、スキャンされた製品を選ぶシングルタップ、および製品を採用することを拒絶するダブルタップ）；
スクリーン上で指をスワップ（Ｓｗａｐｐｉｎｇ）すること；および
スキャナカメラを、例えば指／手を上げることによって遮ること。
【０１２６】
そのデバイスが、ある動きを検知する機構、例えば、加速度計を含むと仮定すると、デバイスは購買決定を確認するために手の動き；すなわち、それがかご、または棚に向いているどうかをトラッキングしてもよい。そのデバイスは、特定の手のジェスチャ、例えば、手を振ること等を認識するように代替的に構成されてもよく、購買決定に対してこれらを関連させる。
【０１２７】
そのデバイスは、ユーザーがスキャンへ興味を持っているときを特定するために、身体の動きを使用してもよい。例えば手が特定の位置にあるとき、そのデバイスは自動的にスキャンシステムを起動させてもよい。そのデバイスは、ユーザーが入店したときに自動的に電源を入れるために、代替的に位置サービスモジュール、例えばＧＰＳを使用してもよい。このように、測定された位置情報はまた、製品リストのある部分を切り替えるのに役立つこともある。例えば、着用者が特定の店に入るとき、製品リストが、その店内で購入可能な製品だけを扱うようにフィルタリングされてもよい。これによって、（そのようなオプションが可能である場合）購入不可能な製品がユーザーへ提示されることが防止されるだろう。
【０１２８】
システムユーザーは、自身が様々なシステム機能（図２６における概要）を使用することができるサービスアカウントを持つこともある。例えば、スキャンされた製品の購入は、ユーザーのアカウントにロードされうる。その後、そのユーザーは、いくつかのグラフィカルなユーザーインターフェースを介して、例えば、ユーザーのスマートフォン上で（図２７）、自身が全ての／一部の製品を消費したかどうかを承認することができる。デフォルトの／予想される値は、ユーザーの以前の値に基づいて予測されうる。そのユーザーはちょうど、評価を調節しおよび／または承認する必要がある。そのユーザーは、例えば管理アプリケーションを使用して手動でデータを入力する（図２８）オプションを有する。そのアプリケーションは、最適な変更をユーザーにガイドして、ユーザーの「パフォーマンス」の分析を提供する（図２９）。
【０１２９】
様々な変更が、当業者によって、本発明の範囲から逸脱することなく上記の実施形態になされてもよいことが理解されるだろう。例えば、システムとデバイスの典型的な使用がヒトにおける使用を伴う一方、本発明はペットおよび馬、植物、菌類等を含む動物へ応用することができる。さらにその製品が飲食物であってもよい一方、本発明は、適切性が遺伝形質例えば、フットウェア、眼鏡等に依存する他の製品と同様に、洗剤および他の洗浄剤を含む他の食料品店の製品へも応用される。
【０１３０】
【表１】
2018530069.tif 000003
【０１３１】
＜参考文献＞
”Ｔｈｅ Ｂｒｅａｔｈ Ｔｅｓｔ Ｔｈａｔ Ｄｉａｇｎｏｓｅｓ Ｄｉａｂｅｔｅｓ” Ｗａｌｌ Ｓｔｒｅｅｔ Ｄａｉｌｙ， ｐｕｂｌｉｓｈｅｄ Ｔｈｕ， Ｊａｎ ２９， ２０１５， Ｍａｒｔｉｎ Ｄｅｎｈｏｌｍ， Ｍａｎａｇｉｎｇ Ｅｄｉｔｏｒ ｈｔｔｐ：／／ｗｗｗ．ｗａｌｌｓｔｒｅｅｔｄａｉｌｙ．ｃｏｍ／２０１５／０１／２９／ｄｉａｂｅｔｅｓ−ａｃｅｔｏｎｅ−ｂｒｅａｔｈ−ｔｅｓｔ／
Ｍｉｃｈａｌｅｔｚ， Ｐ． Ａ．， Ｃａｐ， Ｌ．， Ａｌｐｅｒｔ， Ｅ． ａｎｄ Ｌａｕｔｅｒｂｕｒｇ， Ｂ． Ｈ． （１９８９）， Ａｓｓｅｓｓｍｅｎｔ ｏｆ ｍｉｔｏｃｈｏｎｄｒｉａｌ ｆｕｎｃｔｉｏｎ ｉｎ ｖｉｖｏ ｗｉｔｈ ａ ｂｒｅａｔｈ ｔｅｓｔ ｕｔｉｌｉｚｉｎｇ α−ｋｅｔｏｉｓｏｃａｐｒｏｉｃ ａｃｉｄ． Ｈｅｐａｔｏｌｏｇｙ， １０： ８２９−８３２． ｄｏｉ：１０．１００２／ｈｅｐ．１８４０１００５１３
Ｍｉｓｓｅｌｗｉｔｚ， Ｂ．， Ｐｏｈｌ， Ｄ．， Ｆｒｕａｕｆ， Ｈ．， Ｆｒｉｅｄ， Ｍ．， Ｖａｖｒｉｃｋａ， Ｓ． Ｒ．， ＆ Ｆｏｘ， Ｍ． （２０１３）． Ｌａｃｔｏｓｅ ｍａｌａｂｓｏｒｐｔｉｏｎ ａｎｄ ｉｎｔｏｌｅｒａｎｃｅ： ｐａｔｈｏｇｅｎｅｓｉｓ， ｄｉａｇｎｏｓｉｓ ａｎｄ ｔｒｅａｔｍｅｎｔ． Ｕｎｉｔｅｄ Ｅｕｒｏｐｅａｎ ｇａｓｔｒｏｅｎｔｅｒｏｌｏｇｙ ｊｏｕｒｎａｌ， １（３）， １５１−１５９．
Ｊａｃｋｓｏｎ， Ｓ． Ｊ．， Ｌｅａｈｙ， Ｆ． Ｅ．， ＭｃＧｏｗａｎ， Ａ． Ａ．， Ｂｌｕｃｋ， Ｌ． Ｊ． Ｃ．， Ｃｏｗａｒｄ， Ｗ． Ａ．， ＆ Ｊｅｂｂ， Ｓ． Ａ． （２００４）． Ｄｅｌａｙｅｄ ｇａｓｔｒｉｃ ｅｍｐｔｙｉｎｇ ｉｎ ｔｈｅ ｏｂｅｓｅ： ａｎ ａｓｓｅｓｓｍｅｎｔ ｕｓｉｎｇ ｔｈｅ ｎｏｎ‐ｉｎｖａｓｉｖｅ １３Ｃ‐ｏｃｔａｎｏｉｃ ａｃｉｄ ｂｒｅａｔｈ ｔｅｓｔ． Ｄｉａｂｅｔｅｓ， Ｏｂｅｓｉｔｙ ａｎｄ Ｍｅｔａｂｏｌｉｓｍ， ６（４）， ２６４−２７０．
Ｂｅｒｇ， Ｌ． Ｋ．， Ｆａｇｅｒｌｉ， Ｅ．， Ｍａｒｔｉｎｕｓｓｅｎ， Ｍ．， Ｍｙｈｒｅ， Ａ． Ｏ．， Ｆｌｏｒｈｏｌｍｅｎ， Ｊ．， ＆ Ｇｏｌｌ， Ｒ． （２０１３）． Ｅｆｆｅｃｔ ｏｆ ｆｒｕｃｔｏｓｅ−ｒｅｄｕｃｅｄ ｄｉｅｔ ｉｎ ｐａｔｉｅｎｔｓ ｗｉｔｈ ｉｒｒｉｔａｂｌｅ ｂｏｗｅｌ ｓｙｎｄｒｏｍｅ， ａｎｄ ｉｔｓ ｃｏｒｒｅｌａｔｉｏｎ ｔｏ ａ ｓｔａｎｄａｒｄ ｆｒｕｃｔｏｓｅ ｂｒｅａｔｈ ｔｅｓｔ． Ｓｃａｎｄｉｎａｖｉａｎ ｊｏｕｒｎａｌ ｏｆ ｇａｓｔｒｏｅｎｔｅｒｏｌｏｇｙ， ４８（８）， ９３６−９４３．
Ｍａｒｔｉｎｓ， Ｉ． Ｊ．， Ｔｒａｎ， Ｊ． Ｍ． Ｌ．， ＆ Ｒｅｄｇｒａｖｅ， Ｔ． Ｇ． （２００２）． Ｆｏｏｄ ｒｅｓｔｒｉｃｔｉｏｎ ｎｏｒｍａｌｉｚｅｓ ｃｈｙｌｏｍｉｃｒｏｎ ｒｅｍｎａｎｔ ｍｅｔａｂｏｌｉｓｍ ｉｎ ｍｕｒｉｎｅ ｍｏｄｅｌｓ ｏｆ ｏｂｅｓｉｔｙ ａｓ ａｓｓｅｓｓｅｄ ｂｙ ａ ｎｏｖｅｌ ｓｔａｂｌｅ ｉｓｏｔｏｐｅ ｂｒｅａｔｈ ｔｅｓｔ． Ｔｈｅ Ｊｏｕｒｎａｌ ｏｆ ｎｕｔｒｉｔｉｏｎ， １３２（２）， １７６−１８１．
Ｔｈｅ ｖｏｌａｔｉｌｅ ｍｅｔａｂｏｌｏｍｅ ａｎｄ ｍｉｃｒｏｂｉｏｍｅ ｉｎ ｐｕｌｍｏｎａｒｙ ａｎｄ ｇａｓｔｒｏ−ｉｎｔｅｓｔｉｎａｌ ｄｉｓｅａｓｅ Ｍａｒｃ ｖａｎ ｄｅｒ Ｓｃｈｅｅ， ＰｈＤ ｔｈｅｓｉｓ， Ｕｎｉｖｅｒｓｉｔｙ ｏｆ Ａｍｓｔｅｒｄａｍ （２０１５）
Ｔｈｅ ａｐｐｌｉｃａｔｉｏｎ ｏｆ ＦＡＩＭＳ ｇａｓ ａｎａｌｙｓｉｓ ｉｎ ｍｅｄｉｃａｌ ｄｉａｇｎｏｓｔｉｃｓ， Ｊ． Ａ． Ｃｏｖｉｎｇｔｏｎ， Ｍ． Ｐ． ｖａｎ ｄｅｒ Ｓｃｈｅｅ， Ａ． Ｓ． Ｌ． Ｅｄｇｅ， Ｂ． Ｂｏｙｌｅ， Ｒ． Ｓ． Ｓａｖａｇｅ， Ｒ． Ｐ． Ａｒａｓａｒａｄｎａｍ， Ａｎａｌｙｓｔ， ２０１５
Ａ ｓｉｍｐｌｅ ｂｒｅａｔｈ ｔｅｓｔ ｆｏｒ ｔｕｂｅｒｃｕｌｏｓｉｓ ｕｓｉｎｇ ｉｏｎ ｍｏｂｉｌｉｔｙ： Ａ ｐｉｌｏｔ ｓｔｕｄｙ， Ａ． Ｓ． Ｓａｈｏｔａ， Ｒ． Ｇｏｗｄａ， Ｒ． Ｐ． Ａｒａｓａｒａｄｎａｍ， Ｅ． Ｄａｕｌｔｏｎ， Ｒ． Ｓ． Ｓａｖａｇｅ， Ｊ． Ｒ． Ｓｋｉｎｎｅｒ， Ｅ． Ａｄａｍｓ， Ｓ． Ａ． Ｗａｒｄ， Ｊ． Ａ． Ｃｏｖｉｎｇｔｏｎ， Ｔｕｂｅｒｃｕｌｏｓｉｓ， ２０１６
Ｄｅｔｅｃｔｉｏｎ ｏｆ Ｃｏｌｏｒｅｃｔａｌ Ｃａｎｃｅｒ （ＣＲＣ） ｂｙ Ｕｒｉｎａｒｙ Ｖｏｌａｔｉｌｅ Ｏｒｇａｎｉｃ Ｃｏｍｐｏｕｎｄ Ａｎａｌｙｓｉｓ， Ｒａｍｅｓｈ Ｐ． Ａｒａｓａｒａｄｎａｍ， Ｍｉｃｈａｅｌ Ｊ． ＭｃＦａｒｌａｎｅ， Ｃｏｕｒｔｅｎａｙ Ｒｙａｎ−Ｆｉｓｈｅｒ， Ｅｒｉｋ Ｗｅｓｔｅｎｂｒｉｎｋ， Ｐａｕｌａ Ｈｏｄｇｅｓ， Ｍａｔｔｈｅｗ Ｇ． Ｔｈｏｍａｓ， Ｓａｍａｎｔｈａ Ｃｈａｍｂｅｒｓ， Ｎｉｃｏｌａ Ｏ’Ｃｏｎｎｅｌｌ， Ｃａｔｈｅｒｉｎｅ Ｂａｉｌｅｙ， Ｃｈｒｉｓｔｏｐｈｅｒ Ｈａｒｍｓｔｏｎ， Ｃｈｕｋａ Ｕ． Ｎｗｏｋｏｌｏ， Ｋａｒｎａ Ｄ． Ｂａｒｄｈａｎ， Ｊａｍｅｓ Ａ． Ｃｏｖｉｎｇｔｏｎ， Ｐｌｏｓ Ｏｎｅ， ２０１４． Ｉｓｓｕｅ ９ ｜ ｅ１０８７５０
Ｔｏｗａｒｄｓ ｔｈｅ ｎｏｎ−ｉｎｖａｓｉｖｅ ｄｅｔｅｃｔｉｏｎ ｏｆ ｃｏｌｏｒｅｃｔａｌ ｃａｎｃｅｒ： Ｔｈｅ ｒｏｌｅ ｏｆ ｅｌｅｃｔｒｏｎｉｃ ｎｏｓｅｓ （Ｅ−ｎｏｓｅ） ａｎｄ Ｆｉｅｌｄ Ａｓｙｍｍｅｔｒｉｃ Ｉｏｎ Ｍｏｂｉｌｉｔｙ Ｓｐｅｃｔｒｏｓｃｏｐｙ （ＦＡＩＭＳ）， Ｗｅｓｔｅｎｂｒｉｎｋ Ｅ， Ａｒａｓａｒａｄｎａｍ ＲＰ， Ｏ’Ｃｏｎｎｅｌｌ Ｎ， Ｂａｙｌｅｙ Ｃ， Ｎｗｏｋｏｌｏ Ｃ， Ｈａｒｍｓｔｏｎ Ｃ， Ｂａｒｄｈａｎ ＫＤ， Ｃｏｖｉｎｇｔｏｎ Ｊ．
Ａ ｎｏｖｅｌ ｔｏｏｌ ｆｏｒ ｎｏｎ ｉｎｖａｓｉｖｅ ｄｉａｇｎｏｓｉｓ ａｎｄ ｔｒａｃｋｉｎｇ ｏｆ ｐａｔｉｅｎｔｓ ｗｉｔｈ Ｉｎｆｌａｍｍａｔｏｒｙ Ｂｏｗｅｌ Ｄｉｓｅａｓｅ （ＩＢＤ）， Ａｒａｓａｒａｄｎａｍ ＲＰ （ＭＤ， ＰｈＤ）， Ｏｕａｒｅｔ Ｎ （ＭＳｃ）， Ｔｈｏｍａｓ ＭＧ （ＭＳｃ）， Ｑｕｒａｉｓｈｉ Ｎ （ＭＤ）， Ｈｅａｔｈｅｒｉｎｇｔｏｎ Ｅ （ＲＮ）， Ｎｗｏｋｏｌｏ ＣＵ （ＭＤ， ＤＭ）， Ｂａｒｄｈａｎ ＫＤ （ＭＤ， ＰｈＤ）， Ｃｏｖｉｎｇｔｏｎ ＪＡ （ＭＳｃ， ＰｈＤ）．
Ａｐｐｌｉｃａｔｉｏｎ ｏｆ ａ Ｎｏｖｅｌ Ｔｏｏｌ ｆｏｒ Ｄｉａｇｎｏｓｉｎｇ Ｂｉｌｅ Ａｃｉｄ Ｄｉａｒｒｈｏｅａ， Ｊａｍｅｓ Ａ． Ｃｏｖｉｎｇｔｏｎ， Ｅｒｉｃ Ｗ． Ｗｅｓｔｅｎｂｒｉｎｋ， Ｎａｔｈａｌｉｅ Ｏｕａｒｅｔ， Ｒｕｔｈ Ｈａｒｂｏｒｄ， Ｃａｔｈｅｒｉｎｅ Ｂａｉｌｅｙ， Ｎｉｃｏｌａ Ｏ’Ｃｏｎｎｅｌｌ， Ｊａｍｅｓ Ｃｕｌｌｉｓ， Ｎｉｇｅｌ Ｗｉｌｌｉａｍｓ， Ｃｈｕｋａ Ｕ． Ｎｗｏｋｏｌｏ， Ｋａｒｎａ Ｄ． Ｂａｒｄｈａｎ， Ｒａｍｅｓｈ Ｐ． Ａｒａｓａｒａｄｎａｍ， Ｓｅｎｓｏｒｓ， ２０１３． １３（９）， １１８９９−１１９１２
Ｄｉｆｆｅｒｅｎｔｉａｔｉｎｇ Ｃｏｅｌｉａｃ Ｄｉｓｅａｓｅ ｆｒｏｍ Ｉｒｒｉｔａｂｌｅ Ｂｏｗｅｌ Ｓｙｎｄｒｏｍｅ ｂｙ Ｕｒｉｎａｒｙ Ｖｏｌａｔｉｌｅ Ｏｒｇａｎｉｃ Ｃｏｍｐｏｕｎｄ Ａｎａｌｙｓｉｓ ＊ Ａ Ｐｉｌｏｔ Ｓｔｕｄｙ， Ｒａｍｅｓｈ Ｐ． Ａｒａｓａｒａｄｎａｍ， Ｅｒｉｃ Ｗｅｓｔｅｎｂｒｉｎｋ， Ｍｉｃｈａｅｌ Ｊ． ＭｃＦａｒｌａｎｅ， Ｒｕｔｈ Ｈａｒｂｏｒｄ， Ｓａｍａｎｔｈａ Ｃｈａｍｂｅｒｓ， Ｎｉｃｏｌａ Ｏ’Ｃｏｎｎｅｌｌ， Ｃａｔｈｅｒｉｎｅ Ｂａｉｌｅｙ， Ｃｈｕｋａ Ｕ． Ｎｗｏｋｏｌｏ， Ｋａｒｎａ Ｄ． Ｂａｒｄｈａｎ， Ｒｉｃｈａｒｄ Ｓａｖａｇｅ， Ｊａｍｅｓ Ａ． Ｃｏｖｉｎｇｔｏｎ， Ｐｌｏｓ Ｏｎｅ， ２０１４． Ｉｓｓｕｅ １０ ｜ ｅ１０７３１２
Ｒｅｖｉｅｗ ａｒｔｉｃｌｅ： ｎｅｘｔ ｇｅｎｅｒａｔｉｏｎ ｄｉａｇｎｏｓｔｉｃ ｍｏｄａｌｉｔｉｅｓ ｉｎ ｇａｓｔｒｏｅｎｔｅｒｏｌｏｇｙ ＊ ｇａｓ ｐｈａｓｅ ｖｏｌａｔｉｌｅ ｃｏｍｐｏｕｎｄ ｂｉｏｍａｒｋｅｒ ｄｅｔｅｃｔｉｏｎ， Ｒ． Ｐ． Ａｒａｓａｒａｄｎａｍ， Ｊ． Ａ． Ｃｏｖｉｎｇｔｏｎ， Ｃ． Ｈａｒｍｓｔｏｎ， Ｃ． Ｕ． Ｎｗｏｋｏｌｏ， Ｗｉｌｅｙ Ｏｎｌｉｎｅ Ｌｉｂｒａｒｙ， ２０１４． Ｉｓｓｕｅ ８
Ｔｈｅ Ｄｅｔｅｃｔｉｏｎ ｏｆ Ｐａｔｉｅｎｔｓ ａｔ Ｒｉｓｋ ｏｆ Ｇａｓｔｒｏｉｎｔｅｓｔｉｎａｌ Ｔｏｘｉｃｉｔｙ ｄｕｒｉｎｇ Ｐｅｌｖｉｃ Ｒａｄｉｏｔｈｅｒａｐｙ ｂｙ Ｅｌｅｃｔｒｏｎｉｃ Ｎｏｓｅ ａｎｄ ＦＡＩＭＳ： Ａ Ｐｉｌｏｔ Ｓｔｕｄｙ， Ｊａｍｅｓ Ａ． Ｃｏｖｉｎｇｔｏｎ， Ｌｉｎｄａ Ｗｅｄｌａｋｅ， Ｊｅｒｖｏｉｓｅ Ａｎｄｒｅｙｅｖ， Ｎａｔｈａｌｉｅ Ｏｕａｒｅｔ， Ｍａｔｔｈｅｗ Ｇ． Ｔｈｏｍａｓ， Ｃｈｕｋａ Ｕ． Ｎｗｏｋｏｌｏ， Ｋａｒｎａ Ｄ． Ｂａｒｄｈａｎ， Ｒａｍｅｓｈ Ｐ． Ａｒａｓａｒａｄｎａｍ， Ｓｅｎｓｏｒｓ， ２０１２． １２， １３００２−１３０１８
Ｔｏｗａｒｄｓ ｔｈｅ ｄｅｔｅｃｔｉｏｎ ｏｆ ｂｉｌｅ ａｃｉｄ ｄｉａｒｒｈｏｅａ： Ａ ｎｏｖｅｌ ｎｏｎ−ｉｎｖａｓｉｖｅ ａｐｐｒｏａｃｈ ｕｓｉｎｇ ｅｌｅｃｔｒｏｎｉｃ ｎｏｓｅｓ （Ｅ−ｎｏｓｅ） ａｎｄ Ｆｉｅｌｄ Ａｓｙｍｍｅｔｒｉｃ Ｉｏｎ Ｍｏｂｉｌｉｔｙ Ｓｐｅｃｔｒｏｓｃｏｐｙ （ＦＡＩＭＳ）， Ｗｅｓｔｅｎｂｒｉｎｋ Ｅ， Ａｒａｓａｒａｄｎａｍ ＲＰ， Ｔｈｏｍａｓ Ｍ， Ｏ’Ｃｏｎｎｅｌｌ Ｎ， Ｂａｙｌｅｙ Ｃ， Ｎｗｏｋｏｌｏ Ｃ， Ｂａｒｄｈａｎ ＫＤ， Ｃｏｖｉｎｇｔｏｎ Ｊ．
ＬＥＳＡ ＦＡＩＭＳ ｍａｓｓ ｓｐｅｃｔｒｏｍｅｔｒｙ ｆｏｒ ｔｈｅ ｓｐａｔｉａｌ ｐｒｏｆｉｌｉｎｇ ｏｆ ｐｒｏｔｅｉｎｓ ｆｒｏｍ ｔｉｓｓｕｅ， Ｒｉａｎ Ｌ． Ｇｒｉｆｆｉｔｈｓ， Ａｎｄｒｅｗ Ｊ． Ｃｒｅｅｓｅ， Ａｌａｎ Ｍａｒｋ Ｒａｃｅ， Ｊｏｓｅｐｈｉｎｅ Ｂｕｎｃｈ， ａｎｄ Ｈｅｌｅｎ Ｊｉｌｌ Ｃｏｏｐｅｒ， Ａｎａｌ． Ｃｈｅｍ．， Ｊｕｓｔ Ａｃｃｅｐｔｅｄ Ｍａｎｕｓｃｒｉｐｔ， ２０１６
Ｄｅｔｅｒｍｉｎａｔｉｏｎ ｏｆ ａ Ｕｒｉｎａｒｙ Ｄｒｕｇ Ｍｅｔａｂｏｌｉｔｅ ｕｓｉｎｇ Ｌｉｑｕｉｄ Ｃｈｒｏｍａｔｏｇｒａｐｈｙ Ｃｏｍｂｉｎｅｄ ｗｉｔｈ ＦＡＩＭＳ−ＭＳ ａｎｄ ＦＡＩＭＳ−Ｉｎ Ｓｏｕｒｃｅ ＣＩＤ−ＭＳ， Ｒｏｂｅｒｔ Ｗ． Ｓｍｉｔｈ， Ｄａｎｉｅｌｌｅ Ｅ． Ｔｏｕｔｏｕｎｇｉ， Ｊａｍｅｓ Ｃ． Ｒｅｙｎｏｌｄｓ， Ａｓｈｌｅｙ Ｓａｇｅ， Ａｎｔｈｏｎｙ Ｗ．Ｔ． Ｂｒｉｓｔｏｗ， Ａｎｄｒｅｗ Ｒａｙ， Ｄａｎｉｅｌ Ｊ． Ｗｅｓｔｏｎ， Ｉａｎ Ｗｉｌｓｏｎ， Ｂｉｌｌｙ Ｂｏｙｌｅ， Ｃｏｌｉｎ Ｓ． Ｃｒｅａｓｅｒ．
Ｅｎｈａｎｃｅｄ ｐｅｒｆｏｒｍａｎｃｅ ｉｎ ｔｈｅ ｄｅｔｅｒｍｉｎａｔｉｏｎ ｏｆ ｉｂｕｐｒｏｆｅｎ １−β−Ｏ−ａｃｙｌ ｇｌｕｃｕｒｏｎｉｄｅ ｉｎ ｕｒｉｎｅ ｂｙ ｃｏｍｂｉｎｉｎｇ ｈｉｇｈ ｆｉｅｌｄ ａｓｙｍｍｅｔｒｉｃ ｗａｖｅｆｏｒｍ ｉｏｎ ｍｏｂｉｌｉｔｙ ｓｐｅｃｔｒｏｍｅｔｒｙ ｗｉｔｈ ｌｉｑｕｉｄ ｃｈｒｏｍａｔｏｇｒａｐｈｙ−ｔｉｍｅ−ｏｆ−ｆｌｉｇｈｔ ｍａｓｓ ｓｐｅｃｔｒｏｍｅｔｒｙ， Ｒｏｂｅｒｔ Ｗ． Ｓｍｉｔｈ， Ｄａｎｉｅｌｌｅ Ｅ． Ｔｏｕｔｏｕｎｇｉ， Ｊａｍｅｓ Ｃ． Ｒｅｙｎｏｌｄｓ， Ａｎｔｈｏｎｙ Ｗ．Ｔ． Ｂｒｉｓｔｏｗ， Ａｎｄｒｅｗ Ｒａｙ， Ａｓｈｌｅｙ Ｓａｇｅ， Ｉａｎ Ｄ． Ｗｉｌｓｏｎ， Ｄａｎｉｅｌ Ｊ． Ｗｅｓｔｏｎ， Ｂｉｌｌｙ Ｂｏｙｌｅ， Ｃｏｌｉｎ Ｓ． Ｃｒｅａｓｅｒ．
Ｒａｐｉｄ， Ａｃｃｕｒａｔｅ ａｎｄ ｏｎ−ｓｉｔｅ ｄｅｔｅｃｔｉｏｎ ｏｆ Ｃ． ｄｉｆｆｉｃｉｌｅ ｉｎ Ｓｔｏｏｌ Ｓａｍｐｌｅｓ， Ｍａｒｉｊｅ Ｋ． Ｂｏｍｅｒｓ， Ｆｒｅｄｅｒｉｋ Ｐ． Ｍｅｎｋｅ， Ｒｉｃｈａｒｄ Ｓ． Ｓａｖａｇｅ， Ｃｈｒｉｓｔｉｎａ Ｍ．Ｊ．Ｅ． Ｖａｎｄｅｎｂｒｏｕｃｋｅ−Ｇｒａｕｌｓ， Ｍｉｃｈｉｅｌ Ａ． ｖａｎ Ａｇｔｍａｅｌ， Ｊａｍｅｓ Ａ． Ｃｏｖｉｎｇｔｏｎ， Ｙｖｏ Ｍ． Ｓｍｕｌｄｅｒｓ． Ａｍ Ｊ Ｇａｓｔｒｏｅｎｔｅｒｏｌ ２０１５； １１０：５８８−５９４； ｄｏｉ： １０．１０３８／ａｊｇ．２０１５．９０
Ｌｉｑｕｉｄ ｅｘｔｒａｃｔｉｏｎ ｓｕｒｆａｃｅ ａｎａｌｙｓｉｓ ｆｉｅｌｄ ａｓｙｍｍｅｔｒｉｃ ｗａｖｅｆｏｒｍ ｉｏｎ ｍｏｂｉｌｉｔｙ ｓｐｅｃｔｒｏｍｅｔｒｙ ｍａｓｓ ｓｐｅｃｔｒｏｍｅｔｒｙ ｆｏｒ ｔｈｅ ａｎａｌｙｓｉｓ ｏｆ ｄｒｉｅｄ ｂｌｏｏｄ ｓｐｏｔｓ Ｊｏｓｃｅｌｙｎ Ｓａｒｓｂｙ ， Ｒｉａｎ Ｌ． Ｇｒｉｆｆｉｔｈｓ ， Ａｌａｎ Ｍａｒｋ Ｒａｃｅ ， Ｊｏｓｅｐｈｉｎｅ Ｂｕｎｃｈ ， Ｅｌｉｚａｂｅｔｈ Ｃ． Ｒａｎｄａｌｌ ， Ａｎｄｒｅｗ Ｊ． Ｃｒｅｅｓｅ ， ａｎｄ Ｈｅｌｅｎ Ｊｉｌｌ Ｃｏｏｐｅｒ， Ａｎａｌｙｔｉｃａｌ Ｃｈｅｍｉｓｔｒｙ ２０１５
Ｓｕｐｅｒｖｉｓｅｄ Ｍａｃｈｉｎｅ Ｌｅａｒｎｉｎｇ ａｎｄ Ｆｉｅｌｄ Ａｓｙｍｍｅｔｒｉｃ Ｉｏｎ Ｍｏｂｉｌｉｔｙ Ｓｐｅｃｔｒｏｍｅｔｒｙ Ｂｒｉａｎ Ａｚｉｚｉ ＆ Ｇｅｏｒｇｉｏｓ Ｐｉｌｉｋｏｓ， Ｕｎｉｖｅｒｓｉｔｙ ｏｆ Ｃａｍｂｒｉｄｇｅ
Ｎｏｎ−ｉｎｖａｓｉｖｅ ｅｘｈａｌｅｄ ｖｏｌａｔｉｌｅ ｏｒｇａｎｉｃ ｂｉｏｍａｒｋｅｒ ａｎａｌｙｓｉｓ ｔｏ ｄｅｔｅｃｔ ｉｎｆｌａｍｍａｔｏｒｙ ｂｏｗｅｌ ｄｉｓｅａｓｅ （ＩＢＤ）， Ｒａｍｅｓｈ Ｐ． Ａｒａｓａｒａｄｎａｍ， Ｍｉｃｈａｅｌ ＭｃＦａｒｌａｎｅ， Ｅｍｍａ Ｄａｕｌｔｏｎ， Ｊｉｍ Ｓｋｉｎｎｅｒ， Ｎｉｃｏｌａ Ｏ’Ｃｏｎｎｅｌｌ， Ｓｕｂｉａｔｕ Ｗｕｒｉｅ， Ｓａｍａｎｔｈａ Ｃｈａｍｂｅｒｓ， Ｃｈｕｋａ Ｎｗｏｋｏｌｏ， Ｋａｒｎａ Ｂａｒｄｈａｎ， Ｒｉｃｈａｒｄ Ｓａｖａｇｅ， Ｊａｍｅｓ Ｃｏｖｉｎｇｔｏｎ． Ｄｉｇｅｓｔｉｖｅ ａｎｄ Ｌｉｖｅｒ Ｄｉｓｅａｓｅ， ２０１５．
Ｌｉｑｕｉｄ Ｅｘｔｒａｃｔｉｏｎ Ｓｕｒｆａｃｅ Ａｎａｌｙｓｉｓ Ｍａｓｓ Ｓｐｅｃｔｒｏｍｅｔｒｙ Ｃｏｕｐｌｅｄ ｗｉｔｈ Ｆｉｅｌｄ Ａｓｙｍｍｅｔｒｉｃ Ｗａｖｅｆｏｒｍ Ｉｏｎ Ｍｏｂｉｌｉｔｙ Ｓｐｅｃｔｒｏｍｅｔｒｙ ｆｏｒ Ａｎａｌｙｓｉｓ ｏｆ Ｉｎｔａｃｔ Ｐｒｏｔｅｉｎｓ ｆｒｏｍ Ｂｉｏｌｏｇｉｃａｌ Ｓｕｂｓｔｒａｔｅｓ， Ｊｏｓｃｅｌｙｎ Ｓａｒｓｂｙ， Ｒｉａｎ Ｌ． Ｇｒｉｆｆｉｔｈｓ， Ａｌａｎ Ｍ． Ｒａｃｅ， Ｊｏｓｅｐｈｉｎｅ Ｂｕｎｃｈ， Ｅｌｉｚａｂｅｔｈ Ｃ． Ｒａｎｄａｌｌ， Ａｎｄｒｅｗ Ｊ． Ｃｒｅｅｓｅ， ａｎｄ Ｈｅｌｅｎ Ｊ． Ｃｏｏｐｅｒ． Ａｎａｌｙｔｉｃａｌ Ｃｈｅｍｉｓｔｒｙ ２０１５．
Ｂｒｅａｔｈｏｍｉｃｓ − ｅｘｈａｌｅｄ ｖｏｌａｔｉｌｅ ｏｒｇａｎｉｃ ｃｏｍｐｏｕｎｄ ａｎａｌｙｓｉｓ ｔｏ ｄｅｔｅｃｔ ｈｅｐａｔｉｃ ｅｎｃｅｐｈａｌｏｐａｔｈｙ： ａ ｐｉｌｏｔ ｓｔｕｄｙ， Ｒ Ｐ Ａｒａｓａｒａｄｎａｍ，Ｍ ＭｃＦａｒｌａｎｅ， Ｋ Ｌｉｎｇ， Ｓ Ｗｕｒｉｅ， Ｎ Ｏ’Ｃｏｎｎｅｌｌ， Ｃ Ｕ Ｎｗｏｋｏｌｏ， Ｋ Ｄ Ｂａｒｄｈａｎ， Ｊ Ｓｋｉｎｎｅｒ， Ｒ Ｓ Ｓａｖａｇｅ ａｎｄ Ｊ Ａ Ｃｏｖｉｎｇｔｏｎ． Ｊｏｕｒｎａｌ ｏｆ Ｂｒｅａｔｈ Ｒｅｓｅａｒｃｈ， ２０１６．
Ｖａｒｉａｔｉｏｎ ｉｎ Ｇａｓ ａｎｄ Ｖｏｌａｔｉｌｅ Ｃｏｍｐｏｕｎｄ Ｅｍｉｓｓｉｏｎｓ ｆｒｏｍ Ｈｕｍａｎ Ｕｒｉｎｅ ａｓ Ｉｔ Ａｇｅｓ， Ｍｅａｓｕｒｅｄ ｂｙ ａｎ Ｅｌｅｃｔｒｏｎｉｃ Ｎｏｓｅ， Ｓ． Ｅｓｆａｈａｎｉ， Ｎ． Ｍ． Ｓａｇａｒ， Ｉ． Ｋｙｒｏｕ， Ｅ． Ｍｏｚｄｉａｋ， Ｎ． Ｏ’Ｃｏｎｎｅｌｌ， Ｃ． Ｎｗｏｋｏｌｏ， Ｋ． Ｄ． Ｂａｒｄｈａｎ， Ｒ． Ｐ． Ａｒａｓａｒａｄｎａｍ ａｎｄ Ｊ． Ａ． Ｃｏｖｉｎｇｔｏｎ， Ｂｉｏｓｅｎｓｏｒｓ， ６（１）， ４， ２０１６
【図１】
2018530069.tif 000004
【図２】
2018530069.tif 000005
【図３】
2018530069.tif 000006
【図４】
2018530069.tif 000007
【図５】
2018530069.tif 000008
【図６】
2018530069.tif 000009
【図７】
2018530069.tif 000010
【図８】
2018530069.tif 000011
【図９】
2018530069.tif 000012
【図１０】
2018530069.tif 000013
【図１１】
2018530069.tif 000014
【図１２】
2018530069.tif 000015
【図１３】
2018530069.tif 000016
【図１４】
2018530069.tif 000017
【図１５】
2018530069.tif 000018
【図１６】
2018530069.tif 000019
【図１７】
2018530069.tif 000020
【図１８】
2018530069.tif 000021
【図１９】
2018530069.tif 000022
【図２０】
2018530069.tif 000023
【図２１】
2018530069.tif 000024
【図２２】
2018530069.tif 000025
【図２３】
2018530069.tif 000026
【図２４】
2018530069.tif 000027
【図２５】
2018530069.tif 000028
【図２６】
2018530069.tif 000029
【図２７】
2018530069.tif 000030
【図２８】
2018530069.tif 000031
【図２９】
2018530069.tif 000032
【図３０】
2018530069.tif 000033
【国際調査報告】
2018530069.tif 000034
2018530069.tif 000035
2018530069.tif 000036
2018530069.tif 000037
2018530069.tif 000038
2018530069.tif 000039